(57)【要約】【課題】繰出収納部から繰り出された硬貨を一時的に保留した場合であっても、入金処理等の他の処理を行うことができ、利用効率を高い状態で維持すること。【解決手段】硬貨処理機１００は、硬貨を収納するとともに収納された硬貨を繰り出す繰出収納部１６０と、繰出収納部１６０まで硬貨を入金経路に沿って搬送する入金搬送部１２０と、繰出収納部１６０から繰り出された硬貨を出金経路に沿って搬送する出金搬送部１８０と、出金経路に繰り出され、出金搬送部１８０で搬送された硬貨を出金する出金部１９０と、を備える。硬貨処理機１００は、入金経路以外の箇所に設けられ、出金経路に繰り出された硬貨のうち出金部１９０で出金されない硬貨の一部又は全部を収納する補助収納部１７０と、補助収納部１７０内に収納された硬貨を、入金経路の上流位置又は入金経路に繰り出す繰出搬送部１７１も備える。【選択図】図４
2015064789.tif 000002
【特許請求の範囲】
【請求項１】
硬貨を処理する硬貨処理機において、
硬貨を収納するとともに収納された硬貨を繰り出す繰出収納部と、
前記繰出収納部まで、硬貨を入金経路に沿って搬送する入金搬送部と、
前記繰出収納部から繰り出された硬貨を出金経路に沿って搬送する出金搬送部と、
前記出金経路に繰り出され、前記出金搬送部で搬送された硬貨を出金する出金部と、
前記入金経路以外の箇所に設けられ、前記出金経路に繰り出された硬貨のうち前記出金部で出金されない硬貨の一部又は全部を収納する補助収納部と、
前記補助収納部内に収納された硬貨を、前記入金経路の上流位置又は前記入金経路に繰り出す繰出搬送部と、
を備えたことを特徴とする硬貨処理機。
【請求項２】
前記入金経路に沿って設けられ、前記入金搬送部で搬送される硬貨を識別する識別部をさらに備え、
前記繰出搬送部は、前記補助収納部内に収納された硬貨を前記識別部の上流位置に繰り出すことを特徴とする請求項１に記載の硬貨処理機。
【請求項３】
前記入金経路に沿って設けられ、前記入金搬送部で搬送される硬貨を識別する識別部をさらに備え、
前記繰出収納部から繰り出された硬貨を前記補助収納部内に収納し、前記繰出収納部内に収納されている硬貨の全てが前記繰出収納部から繰り出されたことを確認した後で前記補助収納部内に収納された硬貨を前記繰出搬送部によって前記識別部の上流位置に繰り出し、当該硬貨を前記識別部によって識別させた後で再び前記繰出収納部内に収納させることで、精査処理を行うことを特徴とする請求項１又は２のいずれかに記載の硬貨処理機。
【請求項４】
外部から硬貨を入金するための入金部をさらに備え、
前記補助収納部から繰り出された硬貨が前記入金部へ送り込まれることを特徴とする請求項１乃至３のいずれか１項に記載の硬貨処理機。
【請求項５】
前記入金部は、入金口と、前記入金口を開閉するためのシャッターと、を有し、
少なくとも前記補助収納部から送り込まれた硬貨が前記入金部内にある間、前記シャッターが閉じられて前記入金口が前記シャッターで覆われることを特徴とする請求項４に記載の硬貨処理機。
【請求項６】
閉じられた前記シャッターはロックされることを特徴とする請求項５に記載の硬貨処理機。
【請求項７】
前記シャッターが開けられている状態において、前記入金部内の硬貨が前記繰出搬送部へ進入することを防止するための進入防止部をさらに備えたことを特徴とする請求項５又は６のいずれかに記載の硬貨処理機。
【請求項８】
前記入金経路に沿って設けられ、前記入金搬送部で搬送される硬貨を識別する識別部をさらに備え、
前記繰出収納部から繰り出された硬貨を前記補助収納部内に収納し、前記補助収納部内に収納された硬貨の少なくとも一部を前記繰出搬送部によって繰り出して前記入金部内で収納し、前記繰出収納部内に収納されている硬貨の全てが前記繰出収納部から繰り出されたことを確認した後で前記入金部内に収納された硬貨を前記入金経路に繰り出し、前記入金経路に繰り出された硬貨を前記識別部によって識別させた後で再び前記繰出収納部内に収納させることで、精査処理を行うことを特徴とする請求項４乃至７のいずれか１項に記載の硬貨処理機。
【請求項９】
前記補助収納部内に硬貨が収納されている場合には、前記入金部内に収納された硬貨を前記入金経路に繰り出し、かつ、前記補助収納部内に収納された硬貨を前記繰出搬送部によって前記入金部に繰り出すことを特徴とする請求項８に記載の硬貨処理機。
【請求項１０】
前記識別部の下流位置であって前記繰出収納部の上流位置に設けられ、前記入金経路に沿って搬送される硬貨を前記補助収納部へ振り分けるための振分部と、
前記振分部で振り分けられた硬貨を前記補助収納部へ導く振分搬送経路と、
をさらに備えたことを特徴とする請求項１乃至９のいずれか１項に記載の硬貨処理機。
【請求項１１】
前記繰出収納部がフル状態又はニアフル状態となっているときに、当該繰出収納部に収納される予定であった硬貨を、前記振分部によって前記振分搬送経路へ振り分け、前記補助収納部内に収納することを特徴とする請求項１０に記載の硬貨処理機。
【請求項１２】
前記繰出収納部から前記出金経路に所定枚数の硬貨を繰り出す際に異常が発生した場合、前記出金経路に繰り出された硬貨を前記出金搬送部で搬送して前記補助収納部内に収納し、前記所定枚数の硬貨を前記繰出収納部が前記出金経路に再度繰り出すことを特徴とする請求項１乃至１１のいずれか１項に記載の硬貨処理機。
【請求項１３】
硬貨を処理する硬貨処理機と、
前記硬貨処理機と通信可能となった外部装置と、
を備え、
前記硬貨処理機は、
硬貨を収納するとともに収納された硬貨を繰り出す繰出収納部と、
前記繰出収納部まで、硬貨を入金経路に沿って搬送する入金搬送部と、
前記繰出収納部から繰り出された硬貨を出金経路に沿って搬送する出金搬送部と、
前記出金経路に繰り出され、前記出金搬送部で搬送された硬貨を出金する出金部と、
前記入金経路以外の箇所に設けられ、前記出金経路に繰り出された硬貨のうち前記出金部で出金されない硬貨の一部又は全部を収納する補助収納部と、
前記補助収納部内に収納された硬貨を、前記入金経路の上流位置又は前記入金経路に繰り出す繰出搬送部と、を有し、
前記外部装置からの指示に基づいて、前記繰出収納部内に収納された硬貨を繰り出すことが可能となっていることを特徴とする硬貨処理システム。
【請求項１４】
硬貨を処理する硬貨処理方法において、
硬貨を入金経路に沿って搬送する工程と、
前記入金経路に沿って搬送された硬貨を繰出収納部内に収納する工程と、
前記繰出収納部内の硬貨を出金経路に繰り出す工程と、
前記出金経路に繰り出された硬貨を、当該出金経路に沿って搬送する工程と、
前記出金経路に繰り出された硬貨のうち出金部で出金されない硬貨の一部又は全部を、前記入金経路以外の箇所に設けられた補助収納部内に収納する工程と、
前記補助収納部内に収納された硬貨を、前記入金経路の上流位置又は前記入金経路に繰り出す工程と、
を備えたことを特徴とする硬貨処理方法。
【発明の詳細な説明】
【技術分野】
【０００１】
本発明は、硬貨を処理する硬貨処理機、硬貨処理システム及び硬貨処理方法に関する。
【背景技術】
【０００２】
従来から、入金口から入金された硬貨を金種別に収容するとともに、機内に収容された硬貨を釣銭として払い出す硬貨処理機が知られている。そして、このような硬貨処理機に関しては例えば特許文献１が知られている。この特許文献１には、硬貨を識別する識別部を有する入金用搬送手段と、入金用搬送手段から正貨として識別された硬貨を受け入れて一時保留する硬貨保留手段と、硬貨保留手段から出金された硬貨を選別する硬貨振分手段と、硬貨振分手段で選別された硬貨を金種別に収容し、所定の出金指令に基づいて払い出す繰出収納部である硬貨収容手段と、硬貨収容手段から払い出された硬貨を払出口及び硬貨保留手段のいずれか一方を選択して出金する出金切換手段と、硬貨収容手段から払い出された硬貨を搬送して出金切換手段の動作に応じて硬貨保留手段又は払出口へ出金する硬貨払出手段と、を備えた硬貨処理機が開示されている。そして、硬貨収容手段内の硬貨を硬貨保留手段へ送り込み、再び硬貨収容手段へ循環させることにより、機内硬貨の精査を行うことができる。
【先行技術文献】
【特許文献】
【０００３】
【特許文献１】特許第４３４１５７８号
【発明の概要】
【発明が解決しようとする課題】
【０００４】
この特許文献１によれば、硬貨収容手段から払い出された硬貨を硬貨保留手段に一時的に保留することができる。しかしながら、入金硬貨が必ず硬貨保留手段を通過することとなるので、経路が長くなり、入金処理に時間がかかってしまう。
【０００５】
本発明は、このような点を鑑みてなされたものであり、繰出収納部から繰り出された硬貨を一時的に保留した場合であっても、入金処理等の他の処理を行うことができ、硬貨処理機の利用効率を高い状態で維持することができる硬貨処理機と、このような硬貨処理機を備えた硬貨処理システム及びこのような硬貨処理機を用いた硬貨処理方法を提供する。
【課題を解決するための手段】
【０００６】
本発明による硬貨処理機は、
硬貨を処理する硬貨処理機であって、
硬貨を収納するとともに収納された硬貨を繰り出す繰出収納部と、
前記繰出収納部まで、硬貨を入金経路に沿って搬送する入金搬送部と、
前記繰出収納部から繰り出された硬貨を出金経路に沿って搬送する出金搬送部と、
前記出金経路に繰り出され、前記出金搬送部で搬送された硬貨を出金する出金部と、
前記入金経路以外の箇所に設けられ、前記出金経路に繰り出された硬貨のうち前記出金部で出金されない硬貨の一部又は全部を収納する補助収納部と、
前記補助収納部内に収納された硬貨を、前記入金経路の上流位置又は前記入金経路に繰り出す繰出搬送部と、
を備える。
【０００７】
本発明による硬貨処理機は、
前記入金経路に沿って設けられ、前記入金搬送部で搬送される硬貨を識別する識別部をさらに備え、
前記繰出搬送部が、前記補助収納部内に収納された硬貨を前記識別部の上流位置に繰り出してもよい。
【０００８】
本発明による硬貨処理機は、
前記入金経路に沿って設けられ、前記入金搬送部で搬送される硬貨を識別する識別部をさらに備え、
前記繰出収納部から繰り出された硬貨を前記補助収納部内に収納し、前記繰出収納部内に収納されている硬貨の全てが前記繰出収納部から繰り出されたことを確認した後で前記補助収納部内に収納された硬貨を前記繰出搬送部によって前記識別部の上流位置に繰り出し、当該硬貨を前記識別部によって識別させた後で再び前記繰出収納部内に収納させることで、精査処理を行ってもよい。
【０００９】
本発明による硬貨処理機は、
外部から硬貨を入金するための入金部をさらに備え、
前記補助収納部から繰り出された硬貨が前記入金部へ送り込まれてもよい。
【００１０】
本発明による硬貨処理機において、
前記入金部は、入金口と、前記入金口を開閉するためのシャッターと、を有し、
少なくとも前記補助収納部から送り込まれた硬貨が前記入金部内にある間、前記シャッターが閉じられて前記入金口が前記シャッターで覆われてもよい。
【００１１】
本発明による硬貨処理機において、
閉じられた前記シャッターはロックされてもよい。
【００１２】
本発明による硬貨処理機において、
前記シャッターが開けられている状態において、前記入金部内の硬貨が前記繰出搬送部へ進入することを防止するための進入防止部をさらに備えてもよい。
【００１３】
本発明による硬貨処理機は、
前記入金経路に沿って設けられ、前記入金搬送部で搬送される硬貨を識別する識別部をさらに備え、
前記繰出収納部から繰り出された硬貨を前記補助収納部内に収納し、前記補助収納部内に収納された硬貨の少なくとも一部を前記繰出搬送部によって繰り出して前記入金部内で収納し、前記繰出収納部内に収納されている硬貨の全てが前記繰出収納部から繰り出されたことを確認した後で前記入金部内に収納された硬貨を前記入金経路に繰り出し、前記入金経路に繰り出された硬貨を前記識別部によって識別させた後で再び前記繰出収納部内に収納させることで、精査処理を行ってもよい。
【００１４】
本発明による硬貨処理機において、
前記補助収納部内に硬貨が収納されている場合には、前記入金部内に収納された硬貨を前記入金経路に繰り出し、かつ、前記補助収納部内に収納された硬貨を前記繰出搬送部によって前記入金部に繰り出してもよい。
【００１５】
本発明による硬貨処理機は、
前記識別部の下流位置であって前記繰出収納部の上流位置に設けられ、前記入金経路に沿って搬送される硬貨を前記補助収納部へ振り分けるための振分部と、
前記振分部で振り分けられた硬貨を前記補助収納部へ導く振分搬送経路と、
をさらに備えてもよい。
【００１６】
本発明による硬貨処理機において、
前記繰出収納部がフル状態又はニアフル状態となっているときに、当該繰出収納部に収納される予定であった硬貨を、前記振分部によって前記振分搬送経路へ振り分け、前記補助収納部内に収納してもよい。
【００１７】
本発明による硬貨処理機において、
前記繰出収納部から前記出金経路に所定枚数の硬貨を繰り出す際に異常が発生した場合、前記出金経路に繰り出された硬貨を前記出金搬送部で搬送して前記補助収納部内に収納し、前記所定枚数の硬貨を前記繰出収納部が前記出金経路に再度繰り出してもよい。
【００１８】
本発明による硬貨処理システムは、
硬貨を処理する硬貨処理機と、
前記硬貨処理機と通信可能となった外部装置と、
を備え、
前記硬貨処理機が、
硬貨を収納するとともに収納された硬貨を繰り出す繰出収納部と、
前記繰出収納部まで、硬貨を入金経路に沿って搬送する入金搬送部と、
前記繰出収納部から繰り出された硬貨を出金経路に沿って搬送する出金搬送部と、
前記出金経路に繰り出され、前記出金搬送部で搬送された硬貨を出金する出金部と、
前記入金経路以外の箇所に設けられ、前記出金経路に繰り出された硬貨のうち前記出金部で出金されない硬貨の一部又は全部を収納する補助収納部と、
前記補助収納部内に収納された硬貨を、前記入金経路の上流位置又は前記入金経路に繰り出す繰出搬送部と、を有し、
前記外部装置からの指示に基づいて、前記繰出収納部内に収納された硬貨を繰り出すことが可能となっている。
【００１９】
本発明による硬貨処理方法は、
硬貨を処理する硬貨処理方法であって、
硬貨を入金経路に沿って搬送する工程と、
前記入金経路に沿って搬送された硬貨を繰出収納部内に収納する工程と、
前記繰出収納部内の硬貨を出金経路に繰り出す工程と、
前記出金経路に繰り出された硬貨を、当該出金経路に沿って搬送する工程と、
前記出金経路に繰り出された硬貨のうち出金部で出金されない硬貨の一部又は全部を、前記入金経路以外の箇所に設けられた補助収納部内に収納する工程と、
前記補助収納部内に収納された硬貨を、前記入金経路の上流位置又は前記入金経路に繰り出す工程と、
を備える。
【発明の効果】
【００２０】
本発明によれば、入金経路以外の箇所に出金経路に繰り出された硬貨のうち出金部で出金されない硬貨の一部又は全部を収納する補助収納部が設けられている。このため、特許文献１に開示された発明と比較して、入金硬貨が移動する経路を短くすることができ、入金処理にかかる時間を短くすることができる。
【図面の簡単な説明】
【００２１】
【図１】図１は、本発明の実施の形態による硬貨処理システム（貨幣処理システム）の構成を示す概略図である。
【図２】図２は、本発明の実施の形態による硬貨処理システム（貨幣処理システム）の構成を示す制御ブロック図である。
【図３】図３は、本発明の実施の形態による硬貨処理機の外観を示す斜視図である。
【図４】図４は、本発明の実施の形態による硬貨処理機で用いられる硬貨入金部、入金硬貨搬送部、金種別硬貨繰出収納部等を示した上方平面図である。
【図５】図５は、本発明の実施の形態による硬貨処理機で用いられる補助収納部の外観を示した斜視図である。
【図６】図６は、本発明の実施の形態による硬貨処理機で用いられる繰出搬送部の突起付きベルトの構成を示した斜視図である。
【図７】図７は、本発明の実施の形態による硬貨処理機で用いられる出金硬貨搬送部、金種別硬貨繰出収納部、硬貨入金部等を示した上方平面図である。
【図８】図８は、本発明の実施の形態による硬貨処理機で用いられる出金硬貨搬送部、金種別硬貨繰出収納部、硬貨出金部等を示した上方平面図である。
【図９】図９は、本発明の実施の形態による硬貨処理機で用いられる補助収納庫、繰出搬送部、出金硬貨搬送部、硬貨入金部、金種別硬貨繰出収納部、硬貨出金部等を示した縦断面図である。
【図１０】図１０は、本発明の実施の形態による硬貨処理機で用いられる補助収納庫及び繰出搬送部を長手方向で切断した縦断面図である。
【図１１】図１１は、本発明の実施の形態による硬貨処理機で用いられる補助収納庫及び繰出搬送部を短手方向で切断した横断面図である。
【図１２】図１２（ａ）は、本発明の実施の形態による硬貨処理機において、補助収納庫から硬貨が繰り出されていない状態を示した縦断面図であり、図１２（ｂ）は、本発明の実施の形態による硬貨処理機において、補助収納庫から硬貨が繰り出されている状態を示した縦断面図である。
【図１３】図１３（ａ）は、本発明の実施の形態による硬貨処理機において、硬貨入金部のシャッターが開いた状態を示した縦断面図であり、図１３（ｂ）は、本発明の実施の形態による硬貨処理機において、硬貨入金部のシャッターが閉じた状態を示した縦断面図である。
【図１４】図１４は、精査処理の流れの概略を示した図である。
【図１５】図１５（ａ）は、オーバーフローの退避処理の流れの概略を示した図であり、図１５（ｂ）は、オーバーフローの復活処理の流れの概略を示した図である。
【図１６】図１６は、出金リトライ処理の流れの概略を示した図である。
【発明を実施するための形態】
【００２２】
実施の形態
《構成》
以下、本発明に係る硬貨処理機、硬貨処理システム（貨幣処理システム）及び硬貨処理方法の実施の形態について、図面を参照して説明する。ここで、図１乃至図１６は本発明の実施の形態を説明するための図である。なお、本願において「貨幣」とは「硬貨」、「紙幣」又は「硬貨」及び「紙幣」の両方のことを意味する。また、硬貨処理機において、「上流」とは硬貨の搬送方向の「上流」を意味し、「下流」とは硬貨の搬送方向の「下流」を意味する。
【００２３】
本願の硬貨処理システムは、硬貨を処理する硬貨処理機１００の他に、紙幣を処理する紙幣処理機２００及び／又は棒金を収納するための棒金ドロア５０６を有する棒金管理装置５００を備えていてもよい（図１及び図２参照）。また、本願の硬貨処理システムは、硬貨処理機１００、紙幣処理機２００及び棒金管理装置５００のいずれか１つ以上に接続されたＰＯＳレジスタ３００、パソコン、サーバ４００等を備えてもよい（図１及び図２参照）。硬貨処理機１００の他に、紙幣を処理する紙幣処理機２００及び／又は棒金を収納するための棒金ドロア５０６を備えている場合には、硬貨処理機１００と、紙幣処理機２００及び／又は棒金管理装置５００とは、別体となっていてもよいし一体となっていてもよい。なお、硬貨処理機１００以外のあらゆる装置が外部装置に該当し、上述した例で言うと、紙幣処理機２００、棒金管理装置５００、ＰＯＳレジスタ３００、パソコン、サーバ４００等が外部装置に該当する。
【００２４】
本実施の形態では、硬貨処理機１００、紙幣処理機２００、棒金管理装置５００、ＰＯＳレジスタ３００及びサーバ（例えば店舗サーバ）４００を備えた硬貨処理システムを用いて説明する。以下では、当該硬貨処理システムを主として貨幣処理システムと呼んで説明する。
【００２５】
本実施の形態において、硬貨処理機１００は硬貨の入出金処理を行い、紙幣処理機２００は紙幣の入出金処理を行うようになっている。なお、図１及び図２は、本実施の形態の貨幣処理システム（硬貨処理システム）の構成を示すための図面である。
【００２６】
本実施の形態のＰＯＳレジスタ３００はサーバ４００に通信接続されている。そして、ＰＯＳレジスタ３００からサーバ４００に売上金情報等が送信されるようになっている。また、各種設定情報が、サーバ４００からＰＯＳレジスタ３００（複数台でも可）に配信されるようになっている。
【００２７】
図２に示すように、硬貨処理機１００は、硬貨処理機１００を制御する上位制御部１０１及び硬貨制御部１０２を有しており、これらの上位制御部１０１及び硬貨制御部１０２は通信接続されている。また、紙幣処理機２００は、紙幣処理機２００を制御する紙幣制御部２０２を有しており、この紙幣制御部２０２は硬貨処理機１００の上位制御部１０１に通信接続されている。また、棒金管理機５００は、棒金管理機５００を制御する棒金制御部５０２を有しており、この棒金制御部５０２は硬貨処理機１００の上位制御部１０１に通信接続されている。また、ＰＯＳレジスタ３００は、ＰＯＳレジスタ３００を制御するＰＯＳ制御部３０２を有しており、このＰＯＳレジスタ３００のＰＯＳ制御部３０２は硬貨処理機１００の上位制御部１０１に通信接続されている。
【００２８】
そして、硬貨処理機１００において硬貨の入金処理、出金処理、精査処理、回収処理等の様々な処理を行うと、硬貨処理機１００の硬貨識別部１５０で識別された結果は硬貨処理機１００からＰＯＳレジスタ３００に出力されて、当該結果が後述するＰＯＳ表示部３５１で表示される。また、紙幣処理機２００において紙幣の入金処理、出金処理、精査処理、回収処理等の様々な処理を行うと、紙幣処理機２００の紙幣識別部２５０で識別された結果も紙幣処理機２００から上位制御部１０１を介してＰＯＳレジスタ３００に出力されて、当該結果がＰＯＳ表示部３５１で表示される。また、棒金管理機から出力される棒金の有無に関する情報、棒金の金種に関する情報等も棒金管理機５００から上位制御部１０１を介してＰＯＳレジスタ３００に出力されて、当該情報がＰＯＳ表示部３５１で表示される。
【００２９】
以下、紙幣処理機２００、棒金管理機５００、ＰＯＳレジスタ３００及び硬貨処理機１００の構成について、説明する。
【００３０】
《紙幣処理機２００》
紙幣の入出金処理する紙幣処理機２００の構成について説明する。
【００３１】
図１に示すように、紙幣処理機２００は、略直方体形状の紙幣筐体２０５と、紙幣を紙幣筐体２０５の外部から入金するための紙幣入金部２１０と、紙幣入金部２１０から入金された紙幣を搬送する紙幣搬送部２２０と、紙幣入金部２１０から入金された紙幣の金種等を識別して計数する紙幣識別部２５０と、紙幣搬送部２２０で搬送された紙幣を収納するとともに収納された紙幣を繰り出す紙幣繰出収納部２６０と、リジェクト紙幣や紙幣繰出収納部２６０に収納されていた紙幣を出金するための紙幣出金部２９０と、を備えている。
【００３２】
紙幣入金部２１０は、紙幣が入金されると駆動されて当該紙幣を紙幣筐体２０５内に繰り出す入金紙幣操出部（図示せず）を有している。また、紙幣繰出収納部２６０は、必要に応じて紙幣繰出収納部２６０から紙幣を繰り出す出金紙幣繰出部（図示せず）を有している。
【００３３】
また、図１に示すように、紙幣搬送部２２０には、回収処理を行う際に紙幣繰出収納部２６０から繰り出された紙幣を収納する回収カセット２３５が連結されている。なお、紙幣識別部２５０で識別された紙幣の金種を収納するための紙幣繰出収納部２６０がフル（満杯）状態又はニアフル（ほぼ満杯）状態である場合には、この紙幣はオーバーフロー紙幣として、回収カセット２３５に収納される。
【００３４】
また、図１に示すように、紙幣搬送部２２０には、紙幣繰出収納部２６０から繰り出された紙幣が紙幣識別部２５０によって識別できない場合に、当該紙幣（出金リジェクト紙幣）を収納する出金リジェクト部２３０が連結されている。
【００３５】
図２に示すように、紙幣処理機２００の紙幣制御部２０２には、インターフェース２３２、紙幣入金部２１０、紙幣搬送部２２０、出金リジェクト部２３０、紙幣識別部２５０、紙幣繰出収納部２６０、紙幣出金部２９０等がそれぞれ接続されている。そして、紙幣制御部２０２は、紙幣入金部２１０、紙幣搬送部２２０、紙幣識別部２５０、紙幣繰出収納部２６０、紙幣出金部２９０等と信号の送受信を行い、これらを制御するように構成されている。
【００３６】
《棒金管理機》
次に、本実施の形態の棒金管理機５００について説明する。
【００３７】
図１に示すように、本実施の形態の棒金管理機５００は、棒金筐体５０５と、棒金筐体５０５に対して引き出し自在に設けられ、棒金を１本ずつ収納する棒金収納部５２０を複数個有する棒金ドロア５０６と、を備えている。なお、この棒金ドロア５０６内には、棒金以外にもバラ硬貨、紙幣、商品券等も収納することができる補助収納領域５３０が設けられていてもよい。
【００３８】
また、棒金ドロア５０６と棒金筐体５０５との間には、棒金制御部５０２に接続されたロータリエンコーダ（変位検出手段）（図示せず）が設けられており、棒金ドロア５０６の棒金筐体５０５に対する位置を検出することができるようになっている。そして、センサとロータリエンコーダ（変位検出手段）によって、棒金の直径を検出することで、棒金の有無を検知するだけでなく、棒金の金種の判定することができるようになっており、これらセンサとロータリエンコーダ（変位検出手段）によって、棒金検知部５８０（図２参照）が構成されている。ちなみに、本実施の形態では、棒金ドロア５０６の底面にスリット５２５が形成されており、このスリット５２５をセンサからの光が透過することで、棒金の直径や棒金の有無を検出することができるようになっている。なお、棒金収納部５２０内の棒金の有無及び金種を検知する手段としては、この方式に限定されず、各棒金収納部５２０に有無や金種（材質）を検知するセンサを配置してもよい。また、棒金筐体５０５には、棒金ドロア５０６を棒金筐体５０５に対して閉鎖位置に固定するロック部５６０（図２参照）が設けられている。また、本実施の形態の棒金管理機５００は、棒金筐体５０５に対して棒金ドロア５０６が開状態になっているか閉状態になっているかを検知する開閉検知部５７０（図２参照）も備えている。
【００３９】
図２に示すように、棒金管理機５００の棒金制御部５０２には、インターフェース５３２、棒金検知部５８０、開閉検知部５７０、ロック部５６０等がそれぞれ接続されている。そして、棒金制御部５０２は、棒金検知部５８０、開閉検知部５７０、ロック部５６０等と信号の送受信を行い、これらを制御するように構成されている。
【００４０】
《ＰＯＳレジスタ３００》
次に、ＰＯＳレジスタ３００の構成について説明する。ＰＯＳレジスタ３００は、商品の購入情報を登録するとともに、硬貨処理機１００や紙幣処理機２００に対して硬貨や紙幣の入出金処理を行わせるようになっている。
【００４１】
図２に示すように、ＰＯＳレジスタ３００のＰＯＳ制御部３０２は、硬貨処理機１００の上位制御部１０１に通信接続されているとともに、サーバ４００にも通信接続されている。そして、このＰＯＳ制御部３０２は、硬貨処理機１００の上位制御部１０１を介して硬貨制御部１０２、紙幣制御部２０２及び棒金制御部５０２に指令を送り、この結果、硬貨処理機１００に対して硬貨の入出金処理を行わせ、紙幣処理機２００に対して紙幣の入出金処理を行わせ、棒金管理機５００の棒金ドロア５０６を開放させるようになっている。また、ＰＯＳ制御部３０２は、硬貨制御部１０２、紙幣制御部２０２及び棒金制御部５０２から、上位制御部１０１を介して、硬貨処理機１００、紙幣処理機２００及び棒金制御部５０２における硬貨、紙幣及び棒金の処理状況や在高に係る情報を受け取るようになっている。
【００４２】
図１に示すように、ＰＯＳレジスタ３００は、店員等の操作者が操作することのできるＰＯＳ操作部３５２と、硬貨処理機１００における硬貨の処理状況、紙幣処理機２００における紙幣の処理状況、硬貨処理機１００の内部に収納された硬貨の在高、紙幣処理機２００の内部に収納された紙幣の在高及び棒金管理機５００の内部に収納された棒金の在高等を表示するＰＯＳ表示部３５１と、を備えている。操作者は、ＰＯＳ操作部３５２を介してＰＯＳ制御部３０２に対して様々な指令を与えることができるようになっている。
【００４３】
図２に示すように、ＰＯＳレジスタ３００のＰＯＳ制御部３０２は、インターフェース３３２を介して、硬貨処理機１００の上位制御部１０１やサーバ４００に対して信号の送受信を行うようになっている。また、ＰＯＳ記憶部３５５には、硬貨処理機１００における硬貨の処理状況、硬貨処理機１００の内部に収納された硬貨の在高、紙幣処理機２００における紙幣の処理状況、紙幣処理機２００の内部に収納された紙幣の在高及び棒金管理機５００の内部に収納された棒金の在高等の様々な情報が記憶されるようになっている。
【００４４】
なお、ＰＯＳレジスタ３００は、クレジットカード等の各種カードを読み取るカードリーダ３６０と、プリンター等からなる印字部３７０も有している。なお、ＰＯＳ表示部３５１で表示されるあらゆる情報やＰＯＳ記憶部３５５で記憶されているあらゆる情報は、当該印字部３７０で印字することができるようになっている。
【００４５】
《硬貨処理機１００》
硬貨の入出金処理する硬貨処理機１００の構成について説明する。なお、図３乃至図１５は、本実施の形態の硬貨処理機１００の構成を示すための図面である。
【００４６】
図２に示すように、本実施の形態の硬貨処理機１００の上位制御部１０１には、インターフェース１３２と、後述する硬貨操作表示部１５２と、様々な情報を記憶する硬貨記憶部１５５が接続されている。また、硬貨制御部１０２には、後述する、硬貨入金部（特許請求の範囲の「入金部」に対応する。）１１０、入金硬貨搬送部（特許請求の範囲の「入金搬送部」に対応する。）１２０、硬貨識別部（特許請求の範囲の「識別部」に対応する。）１５０、硬貨繰出収納部（特許請求の範囲の「繰出収納部」に対応する。）１６０、出金硬貨搬送部（特許請求の範囲の「出金搬送部」に対応する。）１８０、硬貨出金部（特許請求の範囲の「出金部」に対応する。）１９０、振分部１２６，１２７，１２９，１８６及び検知センサ１２４，１２５，１６５，１７９，１８５等が接続されている。そして、上位制御部１０１は、硬貨操作表示部１５２及び硬貨記憶部１５５等と信号の送受信を行い、これらを制御するように構成されている。また、硬貨制御部１０２は、硬貨入金部１１０、入金硬貨搬送部１２０、硬貨識別部１５０、硬貨繰出収納部１６０、補助収納部１７０、出金硬貨搬送部１８０及び硬貨出金部１９０、振分部１２６，１２７，１２９，１８６及び検知センサ１２４，１２５，１６５，１７９，１８５等と信号の送受信を行い、これらを制御するように構成されている。
【００４７】
本実施の形態の硬貨処理機１００は、図４に示すように、略直方体形状の硬貨筐体１０５と、硬貨を硬貨筐体１０５の外部から入金するための硬貨入金部１１０と、硬貨筐体１０５内に設けられ、硬貨を収納するとともに収納された硬貨を繰り出す硬貨繰出収納部１６０と、硬貨筐体１０５内において、硬貨入金部１１０から投入された硬貨を１枚ずつ硬貨繰出収納部１６０まで入金経路に沿って搬送する入金硬貨搬送部１２０と、入金経路に沿って設けられ、入金硬貨搬送部１２０で搬送される硬貨を識別して計数する硬貨識別部１５０と、を備えている。また、図３に示すように、硬貨筐体１０５の上面には、操作者が操作信号を入力したり操作者に所定の情報を表示したりするための硬貨操作表示部１５２が設けられている。本実施の形態の硬貨操作表示部１５２はタッチパネルとなっており、硬貨操作表示部１５２に直接触れることで、操作者が操作信号を入力することができる。
【００４８】
図４に示すように、硬貨入金部１１０は、硬貨を投入するための硬貨入金口１１１と、硬貨入金口１１１から投入された硬貨及び後述する繰出搬送部１７１によって繰り出された硬貨を入金経路に繰り出す繰出ベルト１１２と、硬貨入金口１１１を開閉するためのシャッター１１５と、を有している。なお、図４において、繰出ベルト１１２は硬貨を左方向に向かって繰り出すようになっている。
【００４９】
入金硬貨搬送部１２０は、硬貨をピンで支持し、図４において反時計回りに硬貨を搬送する無端状のピン付きベルト１２１と、当該ピン付きベルト１２１を駆動する駆動ローラ１２２（つまり、第一駆動ローラ１２２ａ、第二駆動ローラ１２２ｂ、第三駆動ローラ１２２ｃ、第四駆動ローラ１２２ｄ及び第五駆動ローラ１２２ｅ）と、を有している。この駆動ローラ１２２の少なくとも一つには、駆動ローラ１２２を駆動するための駆動モータ（図示せず）が連結されている。入金経路には、入金経路に沿って硬貨が通過したことを検知するための複数の検知センサ１２４，１２５（後述する）が設けられている。
【００５０】
入金硬貨搬送部１２０のピン付きベルト１２１は、第一駆動ローラ１２２ａから図４の上方向に延びた第一入金搬送領域１２１ａと、第二駆動ローラ１２２ｂに巻き掛けられて第一入金搬送領域１２１ａから図４の右方向に延びた第二入金搬送領域１２１ｂと、第二入金搬送領域１２１ｂから第三駆動ローラ１２２ｃに巻き掛けられた箇所を介して図４の左方向に延びた第三入金搬送領域１２１ｃと、第四駆動ローラ１２２ｄに巻き掛けられて第三入金搬送領域１２１ｃから図４の上方向に延びた第四入金搬送領域１２１ｄと、この第四入金搬送領域１２１ｄから第五駆動ローラ１２２ｅに巻き掛けられた箇所を介して図４の下方向に延びた第五入金搬送領域１２１ｅと、を有している。なお、繰出ベルト１１２で繰り出された硬貨は、第一入金搬送領域１２１ａ、第二入金搬送領域１２１ｂ、第三入金搬送領域１２１ｃ及び第四入金搬送領域１２１ｄを経て、硬貨繰出収納部１６０に収納されることとなる。本実施の形態では、第二入金搬送領域１２１ｂに上述した硬貨識別部１５０が設けられている。この硬貨識別部１５０は、硬貨の金種、真偽、正損、新旧等の識別を行うようになっている。
【００５１】
図４に示すように、第四入金搬送領域１２１ｄには、後述する金種別硬貨繰出収納部１６１（つまり金種別硬貨繰出収納部１６１ａ〜１６１ｆ）の各々に対応した検知センサ１２５（つまり検知センサ１２５ａ〜１２５ｆ）と、当該検知センサ１２５からの情報を受けて各金種別硬貨繰出収納部１６１に対応する金種の硬貨を振り分ける複数（本実施の形態では６つ）の第二入金振分部１２７（つまり第二入金振分部１２７ａ〜１２７ｆ）が設けられている。各検知センサ１２５は、対応する金種別硬貨繰出収納部１６１の上流位置に対応して設けられている。つまり、金種別硬貨繰出収納部１６１ａの直前の上流には検知センサ１２５ａが設けられ、金種別硬貨繰出収納部１６１ｂの直前の上流には検知センサ１２５ｂが設けられ、金種別硬貨繰出収納部１６１ｃの直前の上流には検知センサ１２５ｃが設けられ、金種別硬貨繰出収納部１６１ｄの直前の上流には検知センサ１２５ｄが設けられ、金種別硬貨繰出収納部１６１ｅの直前の上流には検知センサ１２５ｅが設けられ、金種別硬貨繰出収納部１６１ｆの直前の上流には検知センサ１２５ｆが設けられている。
【００５２】
各検知センサ１２５は、光を発光する発光部と、発光部で発光された光を受光する受光部と、を有している。そして、発光部から発光された光が硬貨で遮断されて受光部で受光されないようになることで硬貨が受光部と発光部との間まで搬送されたことを検知し、発光部から発光された光が硬貨で遮断されなくなり、再び受光部で発光部から発光された光を受光するようになることで硬貨が受光部と発光部との間を通過したことを検知するようになっている。
【００５３】
また、第二入金振分部１２７（第二入金振分部１２７ａ〜１２７ｆのいずれか１つ）の上流位置の検知センサ１２５（検知センサ１２５ａ〜１２５ｆのいずれか１つ）で硬貨の通過が確認されたが当該第二入金振分部１２７の下流位置の検知センサ１２５で硬貨の通過が確認されなかった場合には、当該第二入金振分部１２７で硬貨が取り込まれて、当該第二入金振分部１２７に対応する金種別硬貨繰出収納部１６１に硬貨が収納されたと判断される。
【００５４】
本実施の形態の硬貨繰出収納部１６０は、金種別に硬貨を収納する複数（本実施の形態では６つ）の金種別硬貨繰出収納部１６１を有しており、各金種別硬貨繰出収納部１６１が水平方向で並列に配置されている。金種別硬貨繰出収納部１６１は、図４の下から順番に、５００円硬貨、１００円硬貨、５０円硬貨、１０円硬貨、５円硬貨及び１円硬貨を収納するようになっている。各金種別硬貨繰出収納部１６１は、対応する硬貨を例えば１５０枚〜２００枚程度収納することができる。
【００５５】
金種別硬貨繰出収納部１６１の各々は、硬貨を収納する金種別繰出収納庫１６２（つまり金種別繰出収納庫１６２ａ〜１６２ｆ）と、金種別繰出収納庫１６２内に収納された硬貨を出金経路に繰り出すための繰出部１６３（図９参照）と、繰出部１６３で繰り出される硬貨の枚数を検知する検知センサ１６５（図２参照）と、所定枚数の硬貨が繰り出された際にそれ以上の硬貨が繰り出されないように硬貨の繰り出しをストップさせるためのストッパ（図示せず）と、を有している。繰出部１６３は、硬貨を搬送する無端状の駆動ベルト１６４（図９参照）と、当該駆動ベルト１６４を駆動する駆動ローラ（図示せず）と、を有している。各繰出部１６３の駆動ローラの少なくとも一つには、駆動ローラを駆動するための駆動モータ（図示せず）が連結されている。なお、図９において駆動ベルト１６４で搬送された硬貨は、紙面の裏側から表側に向かって繰り出されることとなる。
【００５６】
各検知センサ１６５は、光を発光する発光部と、発光部で発光された光を受光する受光部とを有している。そして、発光部から発光された光が硬貨で遮断されて受光部で受光されないようになることで硬貨が受光部と発光部との間まで搬送されたことを検知し、発光部から発光された光が硬貨で遮断されなくなり、再び受光部で発光部から発光された光を受光するようになることで硬貨が受光部と発光部との間を通過したことを検知するようになっている。そして、発光部から発光された光が硬貨で遮断されて受光部で受光されないようになる回数を計数することで、出金硬貨搬送部１８０に繰り出された硬貨の枚数を計数することができる。
【００５７】
図９に示すように、本実施の形態の硬貨処理機１００は、硬貨繰出収納部１６０から繰り出された硬貨を出金経路に沿って搬送する出金硬貨搬送部１８０と、出金経路に繰り出されて出金硬貨搬送部１８０で搬送された硬貨を出金する硬貨出金部１９０も備えている。出金硬貨搬送部１８０は、硬貨を図９の右から左へと搬送する無端状の出金搬送ベルト１８１と、この出金搬送ベルト１８１を駆動する駆動ローラ１８２と、を有している。この駆動ローラ１８２の少なくとも一つには、駆動ローラ１８２を駆動するための駆動モータ（図示せず）が連結されている。また、出金硬貨搬送部１８０は、出金搬送ベルト１８１の下流側端部の上方に設けられた逆転ローラ１８７と、出金搬送ベルト１８１の下流側に設けられ、略水平方向（図９の左右方向）で延在するガイド板１８８ａと、ガイド板１８８ａの上方に設けられ、ガイド板１８８ａとの間で硬貨を挟持して搬送する出金搬送ベルト１８８ｂと、を有している。なお、出金搬送ベルト１８８ｂは横断面が円形状からなる丸ベルトとなっており、通路幅の中央で略水平方向（図９の左右方向）で延在している。
【００５８】
硬貨出金部１９０は、出金硬貨搬送部１８０の下流側端部、図９で言うと左側端部に設けられており、出金硬貨搬送部１８０の出金搬送ベルト１８１で搬送されて硬貨筐体１０５内から硬貨を繰り出すための出金口１９１と、出金口１９１から繰り出された硬貨を受ける出金受け部１９２と、を有している。
【００５９】
図９に示すように、本実施の形態の硬貨処理機１００は、出金経路に繰り出された硬貨のうち硬貨出金部１９０で出金されない硬貨を収納する補助収納部１７０と、補助収納部１７０内に収納された硬貨を入金経路の上流位置に繰り出す繰出搬送部１７１と、を備えている。より具体的には、本実施の形態では、補助収納部１７０内に収納された硬貨が、繰出搬送部１７１によって入金経路の上流位置にある硬貨入金部１１０に繰り出されるようになっている。
【００６０】
図８で示すように、出金振分部１８６は、全ての金種別硬貨繰出収納部１６１よりも硬貨出金部１９０側の位置（本実施の形態では金種別硬貨繰出収納部１６１ａよりも左側の位置）に設けられており、当該出金振分部１８６が開状態となって硬貨が出金振分部１８６に取り込まれることで出金経路から外れ、当該硬貨が補助収納部１７０に収納されることとなる（図９参照）。なお、出金振分部１８６で取り込まれない硬貨は、出金経路をそのまま搬送されて、最終的には硬貨出金部１９０に出金されることとなる。ちなみに、本実施の形態では、硬貨出金部１９０で出金されない硬貨の全てが補助収納部１７０内に収納されることとなるが、補助収納部１７０以外に出金経路に繰り出された硬貨を収納することができる部材（例えば回収部等）を設け、硬貨出金部１９０で出金されない硬貨の一部だけが補助収納部１７０内に収納されるようにしてもよい。
【００６１】
ちなみに、本実施の形態では、繰出搬送部１７１が補助収納部１７０内に収納された硬貨を入金経路の上流位置に繰り出す態様を用いて、以下説明するが、このような態様に限られることはなく、繰出搬送部１７１が補助収納部１７０内に収納された硬貨を入金経路に繰り出すようになっていてもよい。
【００６２】
図５に示すように、補助収納部１７０は、硬貨を収納するための補助収納庫１７７と、出金振分部１８６の下方に形成され、出金振分部１８６で振り分けられた硬貨を受け入れる出金側受入口１８６ａと、出金側受入口１８６ａで受け入れられた硬貨を補助収納庫１７７に導く導入路１８６ｂと、を有している。なお、この補助収納庫１７７には、例えば５００円硬貨であれば２００枚〜３００枚程度を収納することができる。
【００６３】
出金経路において、出金振分部１８６の直前の上流位置（図７及び図８において右側の位置）と出金振分部１８６の下流位置（図８において左側の位置）の各々には検知センサ１８５ａ、１８５ｂが設けられており、硬貨の通過を検知することができるようになっている。各検知センサ１８５ａ，１８５ｂは、光を発光する発光部と、発光部で発光された光を受光する受光部と、を有している。そして、発光部から発光された光が硬貨で遮断されて受光部で受光されないようになることで硬貨が受光部と発光部との間まで搬送されたことを検知し、発光部から発光された光が硬貨で遮断されなくなり、再び受光部で発光部から発光された光を受光するようになることで硬貨が受光部と発光部との間を通過したことを検知するようになっている。
【００６４】
そして、出金振分部１８６の下流位置に設けられた検知センサ１８５ｂにおいて、発光部から発光された光が硬貨で遮断されて受光部で受光されないようになる回数を計数することで、硬貨出金部１９０に出金された硬貨の枚数を計数することができる。また、出金振分部１８６の直前の上流位置に設けられた検知センサ１８５ａにおいて、発光部から発光された光が硬貨で遮断されて受光部で受光されないようになる回数を計数し、この回数から、出金振分部１８６の下流位置に設けられた検知センサ１８５ｂで計数された回数を差し引くことで、出金振分部１８６で振り分けられて補助収納庫１７７に収納された硬貨の枚数を計数することができる。ちなみに、後述する精査処理においては、全ての硬貨が出金振分部１８６で取り込まれ、出金振分部１８６の下流位置に設けられた検知センサ１８５ｂで硬貨が計数されることがないので、出金振分部１８６の直前の上流位置に設けられた検知センサ１８５ａにおいて、発光部から発光された光が硬貨で遮断されて受光部で受光されないようになる回数を計数するだけで、出金振分部１８６で振り分けられて補助収納庫１７７に収納された硬貨の枚数を計数することができる。
【００６５】
補助収納庫１７７は、金種別硬貨繰出収納部１６１の下方に設けられており、その大きさは自由に設計することができる。そして、図９に示すように、本実施の形態では、補助収納庫１７７が、出金振分部１８６の下方から１００円硬貨を収納するための金種別硬貨繰出収納部１６１ｂの下方まで図９の左右方向で延びている。なお、この態様は一例でありこれに限られることはない。例えば、補助収納庫１７７は、出金振分部１８６の下方位置から１円硬貨を収納するための金種別硬貨繰出収納部１６１ｆの下方位置まで図９の左右方向で延びるような態様となっていてもよい。このような態様では、より大量の硬貨を補助収納庫１７７で収納することができる点では有益である。
【００６６】
上述した繰出搬送部１７１は、その一部が補助収納庫１７７内に設けられている。この繰出搬送部１７１は、硬貨を繰り出すための突起を有し、図１０において反時計回りに回転する無端状の突起付きベルト１７２と、突起付きベルト１７２を駆動する駆動ローラ１７３（つまり駆動ローラ１７３ａ〜１７３ｃ）と、を有している。また、図６に示すように、一つの駆動ローラ１７３、より具体的には第一駆動ローラ１７３ａには手回しハンドル１７４が取り付けられており、硬貨が詰まってしまった場合等には、この手回しハンドル１７４を操作者が回すことで突起付きベルト１７２を強制的に移動させることができる。また、駆動ローラ１７３の少なくとも一つには、駆動ローラ１７３を駆動するための駆動モータ（図示せず）が連結されている。
【００６７】
突起付きベルト１７２は、図１０では第一駆動ローラ１７３ａから左方向へ略水平に延びた第一突起付きベルト領域１７２ａと、第一突起付きベルト領域１７２ａから斜め上方（図１０では斜め左上方）に延びた第二突起付きベルト領域１７２ｂと、第二突起付きベルト領域１７２ｂから第二駆動ローラ１７３ｂに巻き掛けられた箇所を介して斜め下方（図１０では右下方）に延びた第三突起付きベルト領域１７２ｃと、第三突起付きベルト領域１７２ｃから第三駆動ローラ１７３ｃに巻き掛けられた箇所を介して右方向に延びた第四突起付きベルト領域１７２ｄと、を有している。なお、補助収納庫１７７に収納された硬貨は、第一突起付きベルト領域１７２ａ及び第二突起付きベルト領域１７２ｂを経て、第二突起付きベルト領域１７２ｂと第三突起付きベルト領域１７２ｃの境界箇所の近辺から下方に落下して、硬貨入金部１１０の繰出ベルト１１２上に落とされることとなる。複数の硬貨が補助収納庫１７７から繰り出される場合には、硬貨が連続して突起付きベルト１７２から硬貨入金部１１０の繰出ベルト１１２上に落下することとなる。
【００６８】
図１２（ａ）（ｂ）に示すように、第二突起付きベルト領域１７２ｂの上方位置には、硬貨が通過したことを検知するための検知部材１７８が設けられている。この検知部材１７８は、検知センサ１７９と、第二突起付きベルト領域１７２ｂとの間で間隙の開けられた検知ローラ１７８ａと、検知ローラ１７８ａと第二突起付きベルト領域１７２ｂとの間を硬貨が通過したときに基準位置から揺動される検知板１７８ｂと、を有している。このうち、検知センサ１７９は、光を発光する発光部と、発光部で発光された光を受光する受光部とを有している。そして、図１２（ｂ）に示すように検知ローラ１７８ａと第二突起付きベルト領域１７２ｂとの間を硬貨が通過して検知板１７８ｂが基準位置から揺動されると、当該検知板１７８ｂが発光部と受光部との間に位置づけられ、発光部から発光された光が検知板１７８ｂで遮断されて受光部で受光されないようになることで、硬貨が検知ローラ１７８ａと第二突起付きベルト領域１７２ｂとの間を通過していることが検知される。他方、図１２（ａ）に示すように検知ローラ１７８ａと第二突起付きベルト領域１７２ｂとの間を硬貨が通過しておらず検知板１７８ｂが基準位置に位置づけられているときには、発光部から発光された光が受光部で受光され、その結果、検知ローラ１７８ａと第二突起付きベルト領域１７２ｂとの間には硬貨が存在していないことが検知される。そして、発光部から発光された光が検知板１７８ｂで遮断されて受光部で受光されないようになることで、補助収納庫１７７から硬貨入金部１１０の繰出ベルト１１２に繰り出された硬貨を検出することができる。
【００６９】
本実施の形態では、少なくとも補助収納部１７０内に収納された硬貨が繰出搬送部１７１の突起付きベルト１７２によって硬貨入金部１１０の入金ベルト上に繰り出されている間、シャッター１１５が閉じられるようになっている。そのため、補助収納部１７０内に収納された硬貨が繰出搬送部１７１によって硬貨入金部１１０に繰り出されている間、硬貨入金口１１１がシャッター１１５で覆われることとなる。シャッター１１５を閉めることによって得られる後述する効果を確実に得られるという観点からは、シャッター１１５の開閉は自動で行われるようになっていることが好ましいが、手動で行われてもよい。
【００７０】
また、本実施の形態のシャッター１１５は、硬貨入金口１１１をシャッター１１５で覆った閉状態と硬貨入金口１１１からシャッター１１５が退いた開状態の両方で、ロックされるようになっている。より具体的には、図１３（ａ）（ｂ）に示すように、シャッター１１５の内壁に、内側に延びた検知板１１６が設けられている。そして、図１３（ｂ）に示すようにシャッター１１５が完全に閉じた状態で、上述の検知板１１６が間に挿入される位置に、光を発光する発光部と、当該発光部から発光された光を受ける受光部とを有する検知センサ１１７ｂが設けられている。また、図１３（ａ）に示すようにシャッター１１５が完全に開いた状態で、上述の検知板１１６が間に挿入される位置に、光を発光する発光部と、当該発光部から発光された光を受ける受光部とを有する検知センサ１１７ａが設けられている。そして、図１３（ｂ）に示すように、検知板１１６が、検知センサ１１７ｂの発光部と受光部との間に挿入されることで、シャッター１１５が完全に閉じたことが検知され、シャッター１１５を閉状態に保つようロックがかけられる。他方、図１３（ａ）に示すように、検知板１１６が、検知センサ１１７ａの発光部と受光部との間に挿入されることで、シャッター１１５が完全に開いたことが検知され、シャッター１１５を開状態に保つようロックがかけられる。なお、シャッター１１５が完全に開いた開状態において、簡単にシャッター１１５が閉まらないようにする簡易ロック部材を設けてもよい。この場合には、上述した検知センサ１１７ａ及びこの検知センサ１１７ａからの情報を受けてシャッターを開状態でロックする機構を設けなくてもよい。
【００７１】
シャッター１１５は、シャッター１１５が開けられている際、硬貨入金部１１０に繰り出された硬貨が繰出搬送部１７１内に戻ることを防止するための開閉部分１１５ａを有している。より具体的には、図１３（ａ）（ｂ）に示すように、突起付きベルト１７２の硬貨入金部１１０側に、揺動軸１１５ｂを中心として上下方向で揺動自在となった開閉部分１１５ａが設けられている。この開閉部分１１５ａは、シャッター１１５と連動可能となっており、図１３（ｂ）に示すようにシャッター１１５が閉状態となっている場合には、揺動軸１１５ｂを中心に揺動されず略水平方向に延びた状態となっており、突起付きベルト１７２とシャッター１１５との間の空間、すなわち突起付きベルト１７２で搬送された硬貨を硬貨入金部１１０の繰出ベルト１１２に繰り出すための繰出口を閉じないようになっている。他方、図１３（ａ）に示すようにシャッター１１５が開状態となっている場合には、開閉部分１１５ａが、揺動軸１１５ｂを中心に下方に揺動され、突起付きベルト１７２とシャッター１１５との間の空間、すなわち上述した繰出口を閉じるようになっている。なお、シャッター１１５の開閉部分１１５ａが、特許請求の範囲に記載された「進入防止部」に対応している。
【００７２】
図４に示すように、硬貨識別部１５０の下流位置であって金種別硬貨繰出収納部１６１の上流位置には、入金経路に沿って搬送される硬貨を補助収納部１７０へ振り分けるための第一入金振分部（特許請求の範囲の「振分部」に対応する。）１２６が設けられている。図１１に示すように、第一入金振分部１２６の下方には、第一入金振分部１２６で振り分けられた硬貨を補助収納部１７０の補助収納庫１７７へ導くための入金振分搬送経路（特許請求の範囲の「振分搬送経路」に対応する。）１２６ｂが設けられている。より具体的には、第一入金振分部１２６が開状態となって当該第一入金振分部１２６に取り込まれることで、硬貨は入金経路から外れ、入金側受入口１２６ａを通過して入金振分搬送経路１２６ｂを落下し、そのまま補助収納庫１７７に収納されることとなる。なお、本実施の形態では、図４に示すように、硬貨識別部１５０が第二入金搬送領域１２１ｂに設けられ、金種別硬貨繰出収納部１６１が第四入金搬送領域１２１ｄに設けられているのに対して、第一入金振分部１２６は、硬貨の搬送される流れに沿って見た場合に第二入金搬送領域１２１ｂと第四入金搬送領域１２１ｄとの間に位置する、第三入金搬送領域１２１ｃに設けられている。
【００７３】
図４に示すように、硬貨識別部１５０の下流位置であって硬貨繰出収納部１６０の上流位置には、硬貨識別部１５０で金種等を識別することができなかった硬貨をリジェクト硬貨として振り分けるためのリジェクト振分部１２９が設けられている。本実施の形態では、図４に示すように、リジェクト振分部１２９は、第二駆動ローラ１２２ｂ近辺に設けられており、硬貨識別部１５０の設けられた第二入金搬送領域１２１ｂの下流側であって第一入金振分部１２６の上流側に位置している。
【００７４】
図１１に示すように、リジェクト振分部１２９の下方には、リジェクト振分部１２９で振り分けられた硬貨を硬貨出金部１９０へ導くためのリジェクト搬送経路１２９ｂが設けられている。より具体的には、リジェクト振分部１２９が開状態となって当該リジェクト振分部１２９に取り込まれることで、硬貨は入金経路から外れ、リジェクト搬送経路１２９ｂを落下した後、出金搬送ベルト１８１及び出金搬送ベルト１８８ｂによって硬貨出金部１９０まで送られることとなる。また、出金振分部１８６は略コの字形状となっており、出金搬送ベルト１８８ｂが略コの字形状の中央に位置し、出金振分部１８６が開いても出金振分部１８６と出金搬送ベルト１８８ｂが接触しないようになっている。
【００７５】
図４に示すように、リジェクト振分部１２９の直前の上流位置には光を発光する発光部と、発光部で発光された光を受光する受光部とを有する検知センサ１２４ａが設けられている。そして、発光部から発光された光が硬貨で遮断されて受光部で受光されないようになることで硬貨が受光部と発光部との間まで搬送されたこと、つまりリジェクト振分部１２９の直前の上流位置に硬貨が到達したことが検知される。このため、硬貨識別部１５０でリジェクト硬貨であると判断され、かつ、検知センサ１２４ａから硬貨が到達又は通過した旨の検知情報を受けた段階で、硬貨制御部１０２がリジェクト振分部１２９を開状態とし、リジェクト硬貨をリジェクト振分部１２９で取り込むようにしてもよい。なお、当然、硬貨識別部１５０でリジェクト硬貨であると判断された際にリジェクト振分部１２９を開状態のまま維持し、リジェクト硬貨をリジェクト振分部１２９で取り込む態様も採用することができる。
【００７６】
次に、上述した構成からなる本実施の形態による硬貨処理機１００で行われる様々な処理について説明する。
【００７７】
《精査処理》
精査処理とは、金種別硬貨繰出収納部１６１に収納されている硬貨の枚数を再度確認するために行われる処理である。この精査処理は、各金種別硬貨繰出収納部１６１に収納されていると硬貨記憶部１５５及び／又はＰＯＳ記憶部３５５で記憶されている硬貨の枚数と実際に各金種別硬貨繰出収納部１６１に収納されている硬貨の枚数とに相違があり、誤りのある場合又はその可能性がある場合に行われることもあるが、金種別硬貨繰出収納部１６１に収納されている硬貨の枚数の高い信頼性を維持するために定期的に（例えば、残置運用の店舗において２週間に１度の頻度で）行われることもある。また、精査処理は、全金種について行われてもよいし、誤りがある又はその可能性のある金種の硬貨のみについて行われてもよい。また、精査処理を複数の金種の硬貨に対して行う場合には、一金種ずつ精査処理を行ってもよいが、二つ以上の金種について同時に精査処理を行ってもよく、当然、対象となっている金種の全てに対して同時に精査処理を行ってもよい。
【００７８】
金種別硬貨繰出収納部１６１に収納されていると硬貨記憶部１５５等で記憶されている硬貨の枚数と実際に金種別硬貨繰出収納部１６１に収納されている硬貨の枚数とに相違がある場合又はその可能性がある場合には、その旨が、ＰＯＳ表示部３５１及び／又は硬貨操作表示部１５２に表示される。また、ある金種に関して、金種別硬貨繰出収納部１６１に収納されていると硬貨記憶部１５５等で記憶されている硬貨の枚数と実際に金種別硬貨繰出収納部１６１に収納されている硬貨の枚数とに相違がある場合又はその可能性がある場合には、当該金種を特定して、その旨がＰＯＳ表示部３５１及び／又は硬貨操作表示部１５２に表示されてもよい。この場合には、どの金種に対して精査処理を行えばよいかを操作者が容易に把握することができるので、好ましい。
【００７９】
本実施の形態の硬貨処理機１００による精査処理の態様について、以下、説明する。なお、以下では、精査処理の対象となっている硬貨について一金種ずつ精査処理を行う態様を用いて説明する。後に詳細に説明するが、精査処理の流れの概略を予め示しておくと、図１４に示すとおりである。つまり、硬貨繰出収納部１６０のある金種別硬貨繰出収納部１６１から硬貨が繰り出され（図１４の（１）参照）、出金硬貨搬送部１８０で搬送された硬貨が出金振分部１８６で補助収納部１７０内に取り込まれる（図１４の（２）参照）。このように補助収納部１７０内に取り込まれた硬貨は、補助収納部１７０から硬貨入金部１１０に送られ（図１４の（３）参照）、この硬貨入金部１１０から入金経路に繰り出され（図１４の（４）参照）、硬貨識別部１５０で識別された後（図１４の（５）参照）、元々繰り出された金種別硬貨繰出収納部１６１に戻される（図１４の（６）参照）。
【００８０】
精査処理について具体的に説明する。まず、精査処理を行う旨の信号が、ＰＯＳ操作部３５２、硬貨操作表示部１１２等から操作者によって入力される。このとき、精査処理の対象となる金種が選択されてもよいし、自動的に全金種に対して精査処理を行うようにしてもよい。
【００８１】
精査処理を行う旨の信号が入力されると、対象となっている金種の硬貨を収納した金種別硬貨繰出収納部１６１から出金経路に硬貨が繰り出される。より具体的には、当該金種別硬貨繰出収納部１６１の駆動ベルト１６４が回転されて（図９参照）、当該金種別硬貨繰出収納部１６１の金種別繰出収納庫１６２から全ての硬貨が出金経路に繰り出される。なお、この際、ストッパは上方位置に位置づけられている。また、金種別繰出収納庫１６２から繰り出された硬貨の枚数は、金種別硬貨繰出収納部１６１の検知センサ１６５において、発光部から発光された光が硬貨で遮断されて受光部で受光されないようになる回数に基づき、計数することができる。
【００８２】
出金経路に繰り出された硬貨は、出金硬貨搬送部１８０の出金搬送ベルト１８１によって、図９の右から左へと搬送される。なお、出金経路に繰り出された最初の硬貨が出金振分部１８６に到達する前に出金振分部１８６は開状態となり、金種別繰出収納庫１６２から繰り出された硬貨の全てが補助収納庫１７７内に収納されるまで、その開状態を維持し続ける。そして、金種別繰出収納庫１６２から繰り出された硬貨の全てが補助収納庫１７７内に収納されると判断されて始めて、出金振分部１８６は閉状態となる。なお、この際、出金振分部１８６の直前の上流位置に設けられた検知センサ１８５ａ（図８参照）において、発光部から発光された光が硬貨で遮断されて受光部で受光されないようになる回数を計数することで、出金振分部１８６で振り分けられて補助収納庫１７７に収納された硬貨の枚数を計数することができる。そして、金種別硬貨繰出収納部１６１の検知センサ１６５によって計数された硬貨の枚数と出金振分部１８６の直前の上流位置に設けられた検知センサ１８５ａによって計数された硬貨の枚数とを比較し合致したことを硬貨制御部１０２が確認することで、金種別繰出収納庫１６２から繰り出された硬貨の全てが補助収納庫１７７内に収納されたと判断される。
【００８３】
なお、各金種別繰出収納庫１６２に収納されている硬貨の枚数は、硬貨識別部１５０又は第四入金搬送領域１２１ｄに設けられた検知センサ１２５によって計数される。硬貨識別部１５０で計数される場合には、硬貨識別部１５０で通過した硬貨の金種とその枚数が計数されることとなる。他方、第四入金搬送領域１２１ｄに設けられた検知センサ１２５によって計数される場合には、第二入金振分部１２７の上流位置の検知センサ１２５で硬貨の通過が確認されたが当該第二入金振分部１２７の下流位置の検知センサ１２５で硬貨の通過が確認されなかった場合には、当該第二入金振分部１２７で硬貨が取り込まれて、当該第二入金振分部１２７に対応する金種別硬貨繰出収納部１６１に硬貨が収納されたと判断される。より具体的には、検知センサ１２５ａで硬貨の通過が確認されたが検知センサ１２５ｂで硬貨の通過が確認されなかった場合には金種別硬貨繰出収納部１６１ａに硬貨が収納されたと判断され、検知センサ１２５ｂで硬貨の通過が確認されたが検知センサ１２５ｃで硬貨の通過が確認されなかった場合には金種別硬貨繰出収納部１６１ｂに硬貨が収納されたと判断され、検知センサ１２５ｃで硬貨の通過が確認されたが検知センサ１２５ｄで硬貨の通過が確認されなかった場合には金種別硬貨繰出収納部１６１ｃに硬貨が収納されたと判断され、検知センサ１２５ｄで硬貨の通過が確認されたが検知センサ１２５ｅで硬貨の通過が確認されなかった場合には金種別硬貨繰出収納部１６１ｄに硬貨が収納されたと判断され、検知センサ１２５ｅで硬貨の通過が確認されたが検知センサ１２５ｆで硬貨の通過が確認されなかった場合には金種別硬貨繰出収納部１６１ｅに硬貨が収納されたと判断され、検知センサ１２５ｆで通過が確認された硬貨は金種別硬貨繰出収納部１６１に収納されたと判断される。
【００８４】
そして、対象となっている金種別繰出収納庫１６２に収納されている硬貨の枚数と当該金種別硬貨繰出収納部１６１から繰り出された硬貨の枚数とを比較し合致したことを硬貨制御部１０２が確認することで、金種別硬貨繰出収納部１６１内に収納されている硬貨の全てが当該金種別硬貨繰出収納部１６１から繰り出されたと判断される。
【００８５】
このようにして、対象となっている金種別硬貨繰出収納部１６１内に収納されている硬貨の全てが当該金種別硬貨繰出収納部１６１から繰り出されたことが確認されるか、又は、対象となっている金種別硬貨繰出収納部１６１から繰り出された硬貨の全てが補助収納部１７０内に収納されたことが確認されると、補助収納部１７０内に収納された硬貨が繰出搬送部１７１によって硬貨入金部１１０に繰り出される。より具体的には、駆動ローラ１７３が駆動されることで無端状の突起付きベルト１７２が図１０において反時計回りに回転され、補助収納庫１７７内の硬貨は、第一突起付きベルト領域１７２ａ及び第二突起付きベルト領域１７２ｂを順に経て、第二突起付きベルト領域１７２ｂと第三突起付きベルト領域１７２ｃの境界箇所の近辺から下方に落下して、硬貨入金部１１０の繰出ベルト１１２上に落とされることとなる。なお、発光部から発光された光が検知板１７８ｂで遮断されて受光部で受光されないようになることで、補助収納庫１７７から硬貨入金部１１０の繰出ベルト１１２に繰り出された硬貨が検出される（図１２（ａ）（ｂ）参照）。なお、このように補助収納部１７０内に収納された硬貨を繰出搬送部１７１によって硬貨入金部１１０に繰り出す際には、硬貨入金部１１０に最初の硬貨が繰り出される前に、硬貨入金口１１１がシャッター１１５で覆われ、ロックされていることが好ましい。
【００８６】
上述のようにして硬貨入金部１１０の繰出ベルト１１２に繰り出された硬貨は、繰出ベルト１１２で図４の左方向に運ばれ、入金経路に繰り出される。そして、入金経路に繰り出された硬貨は、入金硬貨搬送部１２０で搬送されて、第二入金搬送領域１２１ｂに設けられた硬貨識別部１５０で金種等が識別されて、正常な硬貨（精査処理対象の金種）であると判定されれば、元々収納されていた金種別硬貨繰出収納部１６１内に再度収納されることとなる。なお、金種別硬貨繰出収納部１６１内に収納された硬貨の枚数は、上述した態様と同様、硬貨識別部１５０又は第四入金搬送領域１２１ｄに設けられた検知センサ１２５によって計数される。
【００８７】
ちなみに、精査処理を行っている金種の硬貨の後で別の金種（次の金種）の硬貨の精査処理を行う場合には、１金種目の金種別硬貨繰出収納部１６１内に収納されていた全ての硬貨が硬貨入金部１１０から繰り出されたと硬貨制御部１０２が判断した時点で、次の金種の硬貨の精査処理が開始される。なお、金種別硬貨繰出収納部１６１内に収納されていた硬貨の全てが硬貨入金部１１０から繰り出されたことについては、硬貨識別部１５０で計数された硬貨の枚数と補助収納庫１７７から硬貨入金部１１０の繰出ベルト１１２に繰り出された硬貨の枚数とを比較し、両者が合致したことを判断することで行われる。
【００８８】
上述のようにして、硬貨入金部１１０から繰り出された硬貨の全てが硬貨識別部１５０によって識別され計数されると、精査処理を行う前に認識されていた（硬貨記憶部１５５及び／又はＰＯＳ記憶部３５５で記憶されていた）当該金種の硬貨の枚数と、精査処理を行うことで確認された当該金種の硬貨の枚数とを、硬貨制御部１０２が比較する。そして、両者が合致している場合には硬貨の枚数に誤りがなかったことを確認することができる。他方、精査処理を行う前に認識されていた当該金種の硬貨の枚数と、精査処理を行うことで確認された当該金種の硬貨の枚数との間に相違があった場合には、硬貨制御部１０２がＰＯＳ操作部３５２、硬貨操作表示部１５２等を介して硬貨の枚数を更新するかを操作者に問いかける。そして、操作者がＰＯＳ操作部３５２、硬貨操作表示部１５２等から硬貨の枚数を更新する旨入力すると、精査処理を行うことで確認された当該金種の硬貨の枚数が、当該金種についての新しい硬貨の枚数として硬貨記憶部１５５及び／又はＰＯＳ記憶部３５５で記憶される。他方、操作者がＰＯＳ操作部３５２、硬貨操作表示部１５２等から硬貨の枚数を更新する旨入力しない場合には、精査処理を行う前に認識されていた当該金種の硬貨の枚数がそのまま維持される。なお、更新する旨入力しない場合とは、積極的に更新しない旨を選択する場合だけでなく、一定の時間内に更新する旨を選択しない結果、硬貨制御部１０２で当該金種の硬貨の枚数を更新すると判断されなかった場合も含んでいる。なお、このような態様に限られることはなく、操作者の判断を求めることなく、精査処理を行うことで確認された当該金種の硬貨の枚数に自動で更新するようにしてもよい。また、硬貨の枚数が更新されるとそのログが硬貨記憶部１５５に記憶される。
【００８９】
なお、精査処理を行った結果得られた硬貨の金種別枚数もＰＯＳ表示部３５１及び／又は硬貨操作表示部１５２に表示される。また、精査処理を行う前に認識されていた当該金種の硬貨の枚数と、精査処理を行うことで確認された当該金種の硬貨の枚数との間に相違があった場合には、両枚数をＰＯＳ表示部３５１及び／又は硬貨操作表示部１５２に表示してもよいし、その差分に関する情報をＰＯＳ表示部３５１及び／又は硬貨操作表示部１５２に表示してもよい。上述したＰＯＳ表示部３５１及び／又は硬貨操作表示部１５２で表示される情報は、ＰＯＳレジスタ３００の印字部３７０で印字することもできる。
【００９０】
〈精査処理の変形例〉
精査処理の態様は、上述のような態様に限られることはない。一つの変形例として、以下の態様を挙げる。
【００９１】
金種別硬貨繰出収納部１６１内に収納されている硬貨の全てが硬貨繰出収納部１６０から繰り出されたと判断される前に、補助収納部１７０の補助収納庫１７７内に収納された硬貨の少なくとも一部を予め繰出搬送部１７１で硬貨入金部１１０に繰り出しておいて、当該硬貨入金部１１０内で収納し、次の工程のための準備をしておけば時間短縮を図ることができる。なお、繰出搬送部１７１で硬貨入金部１１０に硬貨を繰り出す態様は上述したとおりである。つまり、駆動ローラ１７３が駆動されることで無端状の突起付きベルト１７２が図１０において反時計回りに回転され、補助収納庫１７７内の硬貨が、第一突起付きベルト領域１７２ａ及び第二突起付きベルト領域１７２ｂを順に経て、第二突起付きベルト領域１７２ｂと第三突起付きベルト領域１７２ｃの境界箇所の近辺から下方に落下して、硬貨入金部１１０の繰出ベルト１１２上に落とされることとなる。なお、本変形例でも、このように補助収納部１７０内に収納された硬貨を繰出搬送部１７１によって硬貨入金部１１０に繰り出す際には、硬貨入金部１１０に最初の硬貨が繰り出される前に、硬貨入金口１１１がシャッター１１５で覆われ、ロックされていることが好ましい。
【００９２】
そして、対象となっている金種別硬貨繰出収納部１６１内に収納されている硬貨の全てが当該金種別硬貨繰出収納部１６１から繰り出されたことが確認されるか、又は、対象となっている金種別硬貨繰出収納部１６１から繰り出された硬貨の全てが補助収納部１７０内に収納されたことが確認されると、硬貨入金部１１０内に収納されており繰出ベルト１１２上に載置されている硬貨が、繰出ベルト１１２で図４の左方向に運ばれ、入金経路に繰り出される。
【００９３】
なお、硬貨入金部１１０の他に補助収納庫１７７に硬貨が収納されている場合には、硬貨入金部１１０の繰出ベルト１１２に繰り出された硬貨が入金経路に繰り出された後、硬貨入金部１１０の繰出ベルト１１２に繰り出された硬貨が入金経路に繰り出されるのと同時、又は、硬貨入金部１１０の繰出ベルト１１２に繰り出された硬貨が入金経路に繰り出される直前に、補助収納部１７０内に収納された硬貨が繰出搬送部１７１によって硬貨入金部１１０に繰り出されることとなる。そして、このようにして硬貨入金部１１０に繰り出された硬貨も、予め硬貨入金部１１０内に収納されていた硬貨と同様、繰出ベルト１１２で図４の左方向に運ばれ、入金経路に繰り出される。
【００９４】
以上のようにして硬貨入金部１１０の繰出ベルト１１２に繰り出された硬貨、すなわち予め硬貨入金部１１０内に収納されていた硬貨、又は、予め硬貨入金部１１０内に収納されていた硬貨と補助収納庫１７７から繰出ベルト１１２に繰り出された硬貨の両方は、入金硬貨搬送部１２０で搬送されて、第二入金搬送領域１２１ｂに設けられた硬貨識別部１５０で金種等が識別されて、元々収納されていた金種別硬貨繰出収納部１６１内に再度収納されることとなる。なお、金種別硬貨繰出収納部１６１内に収納された硬貨の枚数は、上述した態様と同様、硬貨識別部１５０又は第四入金搬送領域１２１ｄに設けられた検知センサ１２５によって計数される。
【００９５】
そして、精査処理を行う前に認識されていた当該金種の硬貨の枚数と、精査処理を行うことで確認された当該金種の硬貨の枚数とを、硬貨制御部１０２が比較する。そして、両者が合致している場合には硬貨の枚数に誤りがなかったことを確認することができる。他方、両者が合致していない場合には、上述したのと同様の態様で、精査処理を行うことで確認された当該金種の硬貨の枚数を新しい硬貨の枚数として硬貨記憶部１５５及び／又はＰＯＳ記憶部３５５で記憶するか、精査処理を行う前に認識されていた当該金種の硬貨の枚数がそのまま維持されるかが、操作者によって決定されることとなる。但し、このような態様に限られることはなく、操作者による判断を求めることなく、精査処理を行うことで確認された当該金種の硬貨の枚数に自動で更新されるようにしてもよい。
【００９６】
《オーバーフロー処理》
本実施の形態の硬貨処理機１００の補助収納部１７０は、硬貨繰出収納部１６０がフル状態又はニアフル状態となっているときに、当該硬貨繰出収納部１６０に収納される予定であった硬貨を、補助収納部１７０内に収納することができる。具体的な態様については、以下で説明する。なお、後に詳細に説明するが、オーバーフローの退避処理の流れの概略を予め示しておくと図１５（ａ）に示すとおりであり、オーバーフローの復活処理の流れの概略を予め示しておくと図１５（ｂ）に示すとおりである。まず、オーバーフローの退避処理の概略について説明すると、硬貨入金部１１０から入金経路に硬貨が繰り出され（図１５（ａ）の（１）参照）、硬貨識別部１５０で識別されてフル状態又はニアフル状態の金種の硬貨であると判断されると（図１５（ａ）の（２）参照）、第一入金振分部１２６が開状態となり（図１５（ａ）の（３）参照）、当該金種の硬貨は第一入金振分部１２６で補助収納部１７０内に取り込まれる（図１５（ａ）の（４）参照）。次に、オーバーフローの復活処理の概略について説明すると、補助収納部１７０から硬貨入金部１１０に硬貨が送られ（図１５（ｂ）の（１）参照）、当該硬貨は、この硬貨入金部１１０から入金経路に繰り出され（図１５（ｂ）の（２）参照）、硬貨識別部１５０で識別された後（図１５（ｂ）の（３）参照）、硬貨繰出収納部１６０の対応する金種別硬貨繰出収納部１６１に振り分けられる（図１５（ｂ）の（４）参照）。
【００９７】
オーバーフロー処理について具体的に説明する。入金処理や補充処理のために硬貨入金口１１１から硬貨が投入されると、当該硬貨は繰出ベルト１１２によって入金経路に繰り出される（図４参照）。このようにして入金経路に繰り出された硬貨は、入金硬貨搬送部１２０によって搬送される。そして、このように入金硬貨搬送部１２０によって搬送される硬貨は、第一入金搬送領域１２１ａを経て第二入金搬送領域１２１ｂに達し、当該第二入金搬送領域１２１ｂに設けられた硬貨識別部１５０でその金種等が識別される。
【００９８】
そして、硬貨識別部１５０で識別された当該硬貨の金種から、当該硬貨が収納されるべき金種別硬貨繰出収納部１６１が決定されることとなる。そして、当該金種別硬貨繰出収納部１６１内に収納されている硬貨の枚数がフル（満杯）状態又はニアフル（ほぼ満杯）状態となっている場合には、硬貨制御部１０２が第一入金振分部１２６を開状態にして当該硬貨を補助収納庫１７７に収納するよう指令を出し、その指令を受けて第三入金搬送領域１２１ｃに設けられた第一入金振分部１２６が開状態となる。その結果、開状態になった第一入金振分部１２６に到達した硬貨は、第一入金振分部１２６に取り込まれることで入金経路から外れ、入金側受入口１２６ａを通過して入金振分搬送経路１２６ｂを落下し、そのまま補助収納庫１７７に収納されることとなる（図１１参照）。
【００９９】
ちなみに、第一入金振分部１２６の上流位置であってリジェクト振分部１２９の下流位置には、光を発光する発光部と、発光部で発光された光を受光する受光部とを有する検知センサ１２４ｂが設けられている（図４参照）。そして、発光部から発光された光が硬貨で遮断されて受光部で受光されないようになることで硬貨が受光部と発光部との間まで搬送されたこと、つまり第一入金振分部１２６の直前の上流位置に硬貨が到達したことが検知される。このため、上述したように硬貨識別部１５０からの情報によって第一入金振分部１２６で取り込まれるべきであると判断された際に第一入金振分部１２６を開状態のまま維持し、当該硬貨を第一入金振分部１２６で取り込む態様の他に、硬貨識別部１５０からの情報によって第一入金振分部１２６で取り込まれるべきであると判断され、かつ、検知センサ１２４ｂから硬貨が到達又は通過した旨の検知情報を受けた段階で、硬貨制御部１０２が第一入金振分部１２６を開状態とし、当該硬貨を第一入金振分部１２６で取り込む態様を採用することもできる。
【０１００】
なお、検知センサ１２４ｂで硬貨の到達及び通過が検知されたものの第一入金振分部１２６の下流側に位置する検知センサ１２５（より具体的には検知センサ１２５ａ）で硬貨の到達が検知されないことによって、硬貨制御部１０２は、第一入金振分部１２６で硬貨が取り込まれ、補助収納庫１７７に収納されたことを確認することができる。
【０１０１】
また、硬貨識別部１５０による硬貨の金種の識別結果に基づいて、補助収納庫１７７に収納された硬貨の金種が把握され、補助収納庫１７７に収納された硬貨の金種別枚数が硬貨記憶部１５５及び／又はＰＯＳ記憶部３５５で記憶されることとなる。
【０１０２】
本実施の形態の硬貨処理機１００は、このように補助収納庫１７７に収納された硬貨をいつでも繰出搬送部１７１によって硬貨入金部１１０に繰り出すことができる。補助収納庫１７７に収納された硬貨が繰出搬送部１７１によって硬貨入金部１１０に繰り出されるタイミングの一例としては、フル状態又はニアフル状態であった金種の硬貨が出金されて当該硬貨を収納していた金種別硬貨繰出収納部１６１内の硬貨の残量が減ってきた場合を挙げることができる。そして、このような場合において、ＰＯＳ操作部３５２、硬貨操作表示部１５２等から補助収納庫１７７に収納された硬貨を金種別硬貨繰出収納部１６１に収納するよう指示されるか、又は、硬貨制御部１０２が補助収納庫１７７に収納された硬貨を金種別硬貨繰出収納部１６１に収納させようと自ら判断すると、補助収納庫１７７に収納された硬貨が繰出搬送部１７１によって硬貨入金部１１０に繰り出される。この際、補助収納部１７０の駆動ローラ１２２が駆動され、無端状の突起付きベルト１７２が図１０において反時計回りに回転され、補助収納庫１７７内に収納されていた硬貨が第二突起付きベルト領域１７２ｂと第三突起付きベルト領域１７２ｃの境界箇所の近辺から下方に落下して、硬貨入金部１１０の繰出ベルト１１２上に落とされることとなる。なお、上述のように、硬貨制御部１０２が補助収納庫１７７に収納された硬貨を金種別硬貨繰出収納部１６１に収納させようと自ら判断した場合であっても、このような処理を行ってもよいかをＰＯＳ表示部３５１及び／又は硬貨操作表示部１５２を介して操作者に問いかけ、操作者からの指示を待つようにしてもよい。
【０１０３】
上述のように硬貨入金部１１０の繰出ベルト１１２上に落とされた硬貨は、入金硬貨搬送部１２０によって搬送されて（図４参照）、第一入金搬送領域１２１ａ、第二入金搬送領域１２１ｂ及び第三入金搬送領域１２１ｃを経て第四入金搬送領域１２１ｄに達し、残量の減ってきた金種別硬貨繰出収納部１６１に対応する第二入金振分部１２７で取り込まれて、当該金種別硬貨繰出収納部１６１で収納されることとなる。
【０１０４】
なお、補助収納庫１７７から繰り出された硬貨を残量の減ってきた金種別硬貨繰出収納部１６１に補充していくうちに、当該金種別硬貨繰出収納部１６１が再びフル状態又はニアフル状態となった場合には、それ以降の硬貨をリジェクト振分部１２９に取り込んで、リジェクト搬送経路１２９ｂを落下させて出金搬送ベルト１８１上に落とせばよい。このようにして出金搬送ベルト１８１に落とされた硬貨は、出金搬送ベルト１８１によって図９の右から左へと搬送され、その後、出金搬送ベルト１８８ｂがガイド板１８８ａとの間で当該硬貨を挟持することで、当該硬貨は、さらに、図９の右から左へと搬送され、硬貨出金部１９０まで送られる。そして、このようにして硬貨出金部１９０に送られた硬貨は、操作者によって回収されることとなる。なお、このような態様に限られることはなく、余った硬貨を再び補助収納庫１７７へ回収するようにしてもよい。
【０１０５】
ところで、このように補助収納庫１７７から繰り出された硬貨を残量の減ってきた金種別硬貨繰出収納部１６１に最初に補充していく態様とは異なり、残量の減ってきた金種別硬貨繰出収納部１６１内に収納することができる硬貨の枚数と、補助収納庫１７７内に収納されており当該金種別硬貨繰出収納部１６１内に収納されるべき金種からなる硬貨の枚数とを予め比較して、対象となっている金種別硬貨繰出収納部１６１で収納することができない硬貨の枚数を予め算出していてもよい。
【０１０６】
この場合には、フル状態又はニアフル状態となった際に当該金種別硬貨繰出収納部１６１で収納することができない枚数の硬貨を最初にリジェクト振分部１２９に取り込んで、リジェクト搬送経路１２９ｂを落下させて出金搬送ベルト１８１上に落とし、出金搬送ベルト１８１及び出金搬送ベルト１８８ｂによって硬貨出金部１９０に送ればよい。そして、所定枚数の硬貨（リジェクトされるべき枚数の硬貨）をリジェクトした後で、補助収納庫１７７から繰り出された硬貨を補充対象となっている金種別硬貨繰出収納部１６１に補充すればよい。なお、上述のようにしてリジェクト振分部１２９で取り込まれて硬貨出金部１９０に送られた硬貨は、操作者によって回収されることとなる。この点、ここで説明した態様を採用した場合には、操作者が硬貨出金部１９０に送られた硬貨を回収するタイミングが硬貨の補充を開始した時点となるので、操作者が硬貨処理機１００の近辺で待機しなければならない時間を減らすことができる点で有益である。また、操作者が硬貨出金部１９０に送られた硬貨を回収するタイミングが硬貨の補充を開始してしばらくたった後になってしまうと、操作者が硬貨の回収を忘れてしまう可能性があるが、ここで説明したように操作者が硬貨出金部１９０に送られた硬貨を回収するタイミングを硬貨の補充を開始した時点とすることで、操作者が硬貨の回収を忘れてしまうというリスクも低減することができる。
【０１０７】
ところで、補助収納庫１７７に二つ以上の金種の硬貨が収納されている場合には、第二入金搬送領域１２１ｂに設けられた硬貨識別部１５０で硬貨の金種が識別され、対応する金種別硬貨繰出収納部１６１に収納されるように硬貨制御部１０２で制御される。なお、補助収納庫１７７に収納されている硬貨の金種のうち、未だフル状態又はニアフル状態となっている金種がある場合には、当該硬貨については、第一入金振分部１２６で取り込まれ、入金側受入口１２６ａを通過して入金振分搬送経路１２６ｂを落下し、再び補助収納庫１７７に収納されることとなる。
【０１０８】
このようにして補助収納庫１７７に収納された硬貨は、再び、繰出搬送部１７１によって硬貨入金部１１０に繰り出されることとなるが、このような態様では作業効率が下がってしまう可能性がある。このため、最初から補助収納庫１７７に収納された硬貨の枚数が硬貨入金部１１０内に収納できる枚数（例えば５０枚程度）となっている場合や、ある程度の硬貨が金種別硬貨繰出収納部１６１に収納されて補助収納庫１７７に収納された硬貨の枚数が硬貨入金部１１０内に収納できる枚数となった場合等には、補助収納庫１７７に収納された硬貨の全てを一度硬貨入金部１１０に収納し、補助収納庫１７７を空の状態にすることが考えられる。そして、このように補助収納庫１７７を空の状態にした後で、硬貨入金部１１０から入金硬貨搬送部１２０に硬貨を繰り出し、残量の減っている金種別硬貨繰出収納部１６１に収納されるべき硬貨を、適宜、当該金種別硬貨繰出収納部１６１に収納し、未だフル状態又はニアフル状態となっている金種別硬貨繰出収納部１６１に対応する硬貨を、第一入金振分部１２６で取り込んで、再び補助収納庫１７７に収納すればよい。ただこの際には、繰出搬送部１７１の駆動は停止されており、当該硬貨が、繰出搬送部１７１によって硬貨入金部１１０に繰り出されることはない。この結果、金種別硬貨繰出収納部１６１に硬貨を補充する作業の効率を上げることができる。
【０１０９】
ちなみに、上述したように、補助収納庫１７７に収納された硬貨を繰出搬送部１７１によって硬貨入金部１１０に繰り出して対応する金種別硬貨繰出収納部１６１に硬貨を収納させる処理を行っている間、より具体的には、突起付きベルト１７２で硬貨入金部１１０に硬貨が繰り出される前であって金種別硬貨繰出収納部１６１に収納されるべき硬貨の全てが硬貨入金部１１０から繰り出されるまでの間は、硬貨入金口１１１がシャッター１１５で覆われ、ロックされていることが好ましい。
【０１１０】
ところで、上述した補助収納庫１７７に収納された硬貨の全てを一度硬貨入金部１１０に収納して補助収納庫１７７を空の状態にするという態様は、オーバーフロー処理に限らず様々な処理で用いることができる。一例としては、既に述べた精査処理を二つ以上の金種について同時に行う場合を挙げることができる。より具体的には、精査処理を二つ以上の金種について同時に行う場合であって、金種別硬貨繰出収納部１６１への硬貨の収納を一金種ずつ行う場合にも用いることができる。この場合には、第二入金搬送領域１２１ｂに設けられた硬貨識別部１５０で硬貨の金種が識別され、金種別硬貨繰出収納部１６１へ収納される硬貨はそのまま金種別硬貨繰出収納部１６１へ収納されるが、未だ金種別硬貨繰出収納部１６１への収納を行わない硬貨については、第一入金振分部１２６で取り込まれ、入金側受入口１２６ａを通過して入金振分搬送経路１２６ｂを落下し、再び補助収納庫１７７に収納されることとなる。
【０１１１】
このようにして補助収納庫１７７に収納された硬貨は、再び、繰出搬送部１７１によって硬貨入金部１１０に繰り出されることとなるが、上述したように、このような態様では作業効率が下がってしまう可能性がある。このため、ある程度の硬貨が金種別硬貨繰出収納部１６１に収納されて補助収納庫１７７に収納された硬貨の枚数が硬貨入金部１１０内に収納できる枚数となった場合には、補助収納庫１７７に収納された硬貨の全てを一度硬貨入金部１１０に収納し、補助収納庫１７７を空の状態にする。そして、このように補助収納庫１７７を空の状態にした後で、硬貨入金部１１０から入金硬貨搬送部１２０に硬貨を繰り出し、金種別硬貨繰出収納部１６１に収納されるべき硬貨（複数金種でも可）を、適宜、当該金種別硬貨繰出収納部１６１に収納し、未だ金種別硬貨繰出収納部１６１に収納されるべきではない硬貨を、第一入金振分部１２６で取り込み、再び補助収納庫１７７に収納すればよい。ただこの際には、繰出搬送部１７１の駆動は停止されており、当該硬貨が、繰出搬送部１７１によって硬貨入金部１１０に繰り出されることはない。したがって、補助収納庫１７７に二つ以上の金種の硬貨が収納されている場合において、金種別硬貨繰出収納部１６１に硬貨を補充する作業の効率を上げることができる。
【０１１２】
《出金リトライ処理》
本実施の形態の硬貨処理機１００は、出金処理において、硬貨繰出収納部１６０から出金経路に所定枚数の硬貨を繰り出す際に異常が発生した場合、出金経路に繰り出された硬貨を出金硬貨搬送部１８０で搬送して補助収納部１７０内に収納し、上述の所定枚数の硬貨を硬貨繰出収納部１６０が出金経路に繰り出すようになってもよい。具体的な態様については、以下で説明する。後に詳細に説明するが、出金リトライ処理の流れの概略を予め示しておくと、図１６に示すとおりである。つまり、指定された金種の硬貨を出金しようとして硬貨繰出収納部１６０の金種別硬貨繰出収納部１６１から硬貨が繰り出される際に異常が発生すると（図１６の（１）参照）、出金経路に繰り出された硬貨の全てが出金硬貨搬送部１８０で搬送され、出金振分部１８６で補助収納部１７０内に取り込まれる（図１６の（２）参照）。次に、指定されていた金種を収容した金種別硬貨繰出収納部１６１から、再度、硬貨が繰り出され（図１６の（３）参照）、出金硬貨搬送部１８０で搬送され、硬貨出金部１９０で出金されることとなる（図１６の（４）参照）。なお、異常が発生して補助収納部１７０内に収容された硬貨は、硬貨繰出収納部１６０への戻し操作を実施することで、図１４の（３）（４）（５）（６）に示したルートを順次経て、硬貨繰出収納部１６０の対応する金種別硬貨繰出収納部１６１に戻される。
【０１１３】
出金リトライ処理について具体的に説明する。出金処理を行う際には、ＰＯＳ操作部３５２、硬貨操作表示部１５２等から所定枚数の硬貨を出金するよう指示が入力される。このような指示が入力されると、対応する金種の硬貨を収納している金種別硬貨繰出収納部１６１から所定枚数の硬貨が繰り出されることとなる。より具体的には、当該金種別硬貨繰出収納部１６１の駆動ベルト１６４が回転されて、当該金種別硬貨繰出収納部１６１の金種別繰出収納庫１６２から所定枚数の硬貨が出金経路に繰り出される。
【０１１４】
上述のようにして金種別繰出収納庫１６２から出金経路に硬貨が正常に繰り出されると、出金経路に繰り出された硬貨は、出金硬貨搬送部１８０の出金搬送ベルト１８１によって図９の右から左へと搬送され、最終的には、出金口１９１から硬貨筐体１０５の外方に繰り出されて、出金受け部１９２で受けられる。
【０１１５】
しかしながら、このような硬貨の繰り出しは必ずしも上手くいくとは限らず、金種別硬貨繰出収納部１６１から所定枚数の硬貨を繰り出す際に、異常が発生することがある。この異常の一例としては、対象となっている金種別硬貨繰出収納部１６１内で過剰負荷が加わったことによって引き起こされたものを挙げることができる。別の例としては、出金される硬貨をストッパで止めることができず、誤って余分な硬貨が金種別硬貨繰出収納部１６１から出金経路に繰り出された場合を挙げることができる。
【０１１６】
本実施の形態では、このような異常が発生した場合には、出金経路に繰り出された硬貨の全てが、出金硬貨搬送部１８０の出金搬送ベルト１８１によって、図９の右から左へと搬送される。そして、出金経路に繰り出された最初の硬貨が出金振分部１８６に到達する前に出金振分部１８６が開状態となり、出金経路に繰り出された硬貨の全てが補助収納庫１７７内に収納されるまで、その開状態を維持し続ける。そして、出金経路に繰り出された硬貨の全てが補助収納庫１７７内に収納されると判断されると、出金振分部１８６は閉状態となる。なお、出金搬送ベルト１８１を駆動しているにもかかわらず、出金振分部１８６の直前の上流位置に設けられた検知センサ１８５ａ（図８参照）において、所定時間以上、発光部から発光された光が受光部で受光され続けることで、出金搬送ベルト１８１上に硬貨が存在しないと判断され、出金経路に繰り出された硬貨の全てが補助収納庫１７７内に収納されたと判断される。
【０１１７】
このようにして出金経路に繰り出された硬貨の全てが補助収納庫１７７内に収納されたと判断されると、ＰＯＳ操作部３５２、硬貨操作表示部１５２等から入力された所定枚数の硬貨を出金するよう、対応する金種の硬貨を収納している金種別硬貨繰出収納部１６１から所定枚数の硬貨が（再び）繰り出されることとなる。
【０１１８】
そして、金種別硬貨繰出収納部１６１から出金経路に硬貨を繰り出す際に異常が発生しなかった場合には、当該硬貨は、出金硬貨搬送部１８０の出金搬送ベルト１８１によって図９の右から左へと搬送され、その後、出金搬送ベルト１８８ｂがガイド板１８８ａとの間で当該硬貨を挟持することで、当該硬貨は、さらに、図９の右から左へと搬送される。そして、最終的には、出金口１９１から硬貨筐体１０５の外方に繰り出されて、出金受け部１９２で受けられる。他方、再度、金種別硬貨繰出収納部１６１から出金経路に硬貨を繰り出す際に異常が発生した場合には、出金経路に繰り出された硬貨の全てが、再び、補助収納庫１７７内に収納される。
【０１１９】
なお、金種別硬貨繰出収納部１６１（硬貨繰出収納部１６０）から出金経路に硬貨を繰り出す際の異常が金種別硬貨繰出収納部１６１（硬貨繰出収納部１６０）内で過剰負荷が加わったことによって引き起こされた場合には、当該金種別硬貨繰出収納部１６１（硬貨繰出収納部１６０）は、過剰負荷を解除する動作を行い、その後で、上述した所定枚数の硬貨を出金経路に繰り出すようになっていてもよい。
【０１２０】
より具体的には、金種別硬貨繰出収納部１６１内で硬貨が詰まる等して過剰負荷が加わったことによって異常が発生した場合には、硬貨制御部１０２からの指令を受けて、当該金種別硬貨繰出収納部１６１の駆動ベルト１６４が、所定回数、正転と反転とを繰り返し（図９の紙面の裏面側から表面側への駆動と紙面の表面側から裏面側への駆動とを繰り返し）、硬貨の詰まりを解消させ、その上で、上述した所定枚数の硬貨が、当該金種別硬貨繰出収納部１６１から出金経路に繰り出されることとなる。
【０１２１】
なお、以上のようにして補助収納庫１７７に収納された硬貨は、いつでも繰出搬送部１７１によって硬貨入金部１１０に繰り出すことができる。補助収納庫１７７に収納された硬貨が繰出搬送部１７１によって硬貨入金部１１０に繰り出されるタイミングの一例としては、ＰＯＳ操作部３５２、硬貨操作表示部１５２等から補助収納庫１７７に収納された硬貨を金種別硬貨繰出収納部１６１に収納するよう指示された場合、硬貨制御部１０２が自ら補助収納庫１７７に収納された硬貨を金種別硬貨繰出収納部１６１に収納させようと判断した場合等を挙げることができる。このように補助収納庫１７７に収納された硬貨を繰出搬送部１７１によって硬貨入金部１１０に繰り出す場合には、補助収納部１７０の駆動ローラ１２２が駆動されて無端状の突起付きベルト１７２が図１０において反時計回りに回転され、補助収納庫１７７内に収納されていた硬貨が第二突起付きベルト領域１７２ｂと第三突起付きベルト領域１７２ｃの境界箇所の近辺から下方に落下して、硬貨入金部１１０の繰出ベルト１１２上に落とされることとなる。なお、上述のように、硬貨制御部１０２が補助収納庫１７７に収納された硬貨を金種別硬貨繰出収納部１６１に収納させようと自ら判断した場合には、このような処理を行ってもよいかをＰＯＳ表示部３５１及び／又は硬貨操作表示部１５２を介して操作者に問いかけ、操作者からの指示を待つようにしてもよい。
【０１２２】
上述のように硬貨入金部１１０の繰出ベルト１１２上に落とされた硬貨は、入金硬貨搬送部１２０によって搬送されて（図４参照）、第一入金搬送領域１２１ａ、第二入金搬送領域１２１ｂ及び第三入金搬送領域１２１ｃを経て第四入金搬送領域１２１ｄに達し、収納されるべき金種別硬貨繰出収納部１６１に対応する第二入金振分部１２７で取り込まれて、当該金種別硬貨繰出収納部１６１で収納されることとなる。なお、補助収納庫１７７に二つ以上の金種の硬貨が収納されている場合には、第二入金搬送領域１２１ｂに設けられた硬貨識別部１５０で硬貨の金種が識別され、各硬貨を対応する金種別硬貨繰出収納部１６１に収納されるように硬貨制御部１０２で制御されることとなる。
【０１２３】
なお、上述した態様に限られることはなく、本実施の形態の補助収納部１７０は様々な処理で利用することができる。一例としては、補助収納部１７０を入金時の一時保留部として利用することもできる。この場合には、上述したオーバーフロー処理と同様に、硬貨入金部１１０から入金された硬貨が第一入金振分部１２６から取り込まれて補助収納庫１７７に収納される。そして、ＰＯＳ操作部３５２、硬貨操作表示部１５２等から入金された硬貨の金種別枚数又は合計金額を確定する旨入力されると、補助収納庫１７７から硬貨が繰出搬送部１７１によって硬貨入金部１１０に繰り出される。そして、このように硬貨入金部１１０に繰り出された硬貨は入金硬貨搬送部１２０で搬送されて、対応する金種別硬貨繰出収納部１６１内に収納されることとなる。
【０１２４】
本実施の形態の硬貨処理機１００では回収処理も行うことができる。なお、本実施の形態の回収処理は、回収したい金種別枚数をＰＯＳ操作部３５２、硬貨操作表示部１５２等から入力して回収することもできるし、金種別硬貨繰出収納部１６１に残しておきたい金種別枚数をＰＯＳ操作部３５２、硬貨操作表示部１５２等から入力して回収することもできる。回収する旨の指示が入力されると、金種別硬貨繰出収納部１６１から所定の金種別枚数の硬貨が出金経路に繰り出される。そして、このようにして出金経路に繰り出された硬貨は、出金振分部１８６で取り込まれて補助収納庫１７７に一旦収納され、当該補助収納庫１７７から硬貨が繰出搬送部１７１によって硬貨入金部１１０に繰り出される。そして、このように硬貨入金部１１０に繰り出された硬貨は入金硬貨搬送部１２０で搬送され、第二入金搬送領域１２１ｂに設けられた硬貨識別部１５０で金種等が識別された後で、リジェクト振分部１２９で取り込まれる。その結果、当該硬貨は、リジェクト搬送経路１２９ｂを落下して出金搬送ベルト１８１上に落とされ、出金搬送ベルト１８１及び出金搬送ベルト１８８ｂによって硬貨出金部１９０まで送られ、最終的には操作者によって回収されることとなる。なお、金種別硬貨繰出収納部１６１内の在高を確認する必要がない場合には、金種別硬貨繰出収納部１６１から繰り出された硬貨を、出金振分部１８６で振り分けないで、硬貨出金部１９０へ直接送り出す方が時間短縮となる。
【０１２５】
《効果》
次に、上述した構成からなる本実施の形態によって達成される効果であって、まだ述べていない効果又はとりわけ重要な効果について説明する。
【０１２６】
本実施の形態によれば、入金経路以外の箇所に出金経路に繰り出された硬貨のうち硬貨出金部１９０で出金されない硬貨の一部又は全部を収納する補助収納部１７０が設けられている（図９参照）。そして、当該補助収納部１７０内に収納された硬貨は、繰出搬送部１７１によって、入金経路の上流位置又は入金経路に繰り出される。このため、硬貨繰出収納部１６０から繰り出された硬貨を一時的に保留した場合であっても、入金処理等の他の処理を行うことができ、硬貨処理機１００の利用効率を高い状態で維持することができる。
【０１２７】
この点、特許文献１で開示された態様では、硬貨保留手段が入金用搬送手段上に配置されていることから、硬貨保留手段に硬貨を一時的に保留させると、他の処理（例えば入金処理等）を行うことができなくなり、非常に使い勝手の悪く、硬貨処理機の利用効率が下がってしまう。これに対して、本実施の形態の硬貨処理機１００によれば、入金経路以外の箇所、より具体的には金種別硬貨繰出収納部１６１の下方に補助収納部１７０が設けられている。このように本実施の形態の金種別硬貨繰出収納部１６１は、入金経路にも出金経路にも位置しない。このため、入金処理や出金処理等の他の処理を行う際に、補助収納部１７０に収納された一時的に収納された硬貨が邪魔になることはなく、金種別硬貨繰出収納部１６１に収納された硬貨を一時的に保留するという効果を達成しつつ、硬貨処理機１００の利用効率を高い状態で維持することができる。また、特許文献１で開示された態様では、入金硬貨が必ず硬貨保留手段を通過することとなるので、経路が長くなり、入金処理に時間がかかってしまう。これに対して、本発明によれば、特許文献１で開示された態様のように入金硬貨が硬貨保留手段を通過することとはならないので、特許文献１で開示された態様と比較して、入金処理にかかる時間を短くすることができる。
【０１２８】
本実施の形態によれば、補助収納部１７０内に収納された硬貨は硬貨識別部１５０の上流位置に繰り出され、入金硬貨搬送部１２０で搬送されて硬貨識別部１５０で識別される（図９及び図４参照）。より具体的には、補助収納庫１７７に収納された硬貨は、第一突起付きベルト領域１７２ａ及び第二突起付きベルト領域１７２ｂを経て、第二突起付きベルト領域１７２ｂと第三突起付きベルト領域１７２ｃの境界箇所の近辺から下方に落下して、硬貨入金部１１０の繰出ベルト１１２上に落とされる（図９参照）。そして、硬貨入金部１１０の繰出ベルト１１２に繰り出された硬貨は、繰出ベルト１１２で図４の左方向に運ばれ、入金経路に繰り出される。そして、入金経路に繰り出された硬貨は、入金硬貨搬送部１２０で搬送されて、第二入金搬送領域１２１ｂに設けられた硬貨識別部１５０で金種等が識別されることとなる。ところで、特許文献１で開示された態様では、精査処理によって循環される硬貨が識別部を通過しないで、計数センサのみを通過する構成となっていることから、正確な精査を行うことができない。他方、本実施の形態によれば、硬貨識別部１５０で識別しつつ精査処理を行うことから、正確な精査を行うことができる。なお、特許文献１に開示されている複数の計数センサを精度の高い硬貨識別部に置き換えた場合には、装置の製造コストが高くなってしまう。
【０１２９】
このため、本実施の形態によれば、補助収納庫１７７から繰り出された硬貨について識別を行い、当該識別結果を利用した処理を行うことができる。一例としては、補助収納庫１７７から繰り出された硬貨について識別を行い、当該識別結果を利用して精度の高い精査処理を行うことができる。また、上述したオーバーフロー処理の結果、補助収納庫１７７に二つ以上の金種の硬貨が収納されている場合には、硬貨の金種を硬貨識別部１５０で識別し、当該硬貨を対応する金種別硬貨繰出収納部１６１に収納させたり、当該硬貨を収納すべき金種別硬貨繰出収納部１６１が未だフル状態又はニアフル状態となっている場合には当該硬貨を再び補助収納庫１７７に収納させたりすることができる。また、上述した出金リトライ処理の結果、補助収納庫１７７に二つ以上の金種の硬貨が収納されている場合には、硬貨の金種を硬貨識別部１５０で識別し、各硬貨を対応する金種別硬貨繰出収納部１６１に収納させることもできる。
【０１３０】
また、本実施の形態では、補助収納部１７０内に収納された硬貨が繰出搬送部１７１によって硬貨入金部１１０に繰り出される。そして、硬貨入金部１１０でも一定程度以上の硬貨を収納することができるので、当該硬貨入金部１１０でも硬貨を一時的に収納することができる。その結果、一時的に収納される硬貨の枚数を増加させることができる。また、上述した精査処理においては、補助収納部１７０の補助収納庫１７７内に収納された硬貨の少なくとも一部を予め繰出搬送部１７１で硬貨入金部１１０に繰り出しておいて、当該硬貨入金部１１０内で収納し、次の工程のための準備をしておくことができる。このため、精査処理の処理時間を短縮することもできる。さらに、補助収納庫１７７に二つ以上の金種の硬貨が収納されている場合において、最初から補助収納庫１７７に収納された硬貨の枚数が硬貨入金部１１０内に収納できる枚数となっている場合や、ある程度の硬貨が金種別硬貨繰出収納部１６１に収納されて補助収納庫１７７に収納された硬貨の枚数が硬貨入金部１１０内に収納できる枚数となった場合等には、補助収納庫１７７に収納された硬貨の全てを一度硬貨入金部１１０に収納し、補助収納庫１７７を空の状態にすることができるので、補助収納庫１７７に二つ以上の金種の硬貨が収納されている場合において、金種別硬貨繰出収納部１６１に硬貨を補充する作業の効率を上げることができる。
【０１３１】
ちなみに、精査処理において、硬貨入金部１１０内の他に補助収納庫１７７内に硬貨が収納されている場合には、硬貨入金部１１０の繰出ベルト１１２に繰り出された硬貨が入金経路に繰り出された後、硬貨入金部１１０の繰出ベルト１１２に繰り出された硬貨が入金経路に繰り出されるのと同時、又は、硬貨入金部１１０の繰出ベルト１１２に繰り出された硬貨が入金経路に繰り出される直前（例えば１〜５秒前）に、補助収納部１７０内に収納された硬貨が繰出搬送部１７１によって硬貨入金部１１０に繰り出される。このため、硬貨入金部１１０から入金経路への硬貨の繰り出しと連動させて、硬貨入金部１１０に補助収納庫１７７から硬貨を繰り出すことができ、精算処理の効率をさらに高めることができる。
【０１３２】
なお、精算処理の効率を高めるという観点からすると、硬貨入金部１１０に収納されている硬貨が満杯な状態となっているときには、硬貨入金部１１０内の硬貨が入金経路に繰り出されるのと同時に補助収納部１７０内に収納された硬貨を繰出搬送部１７１によって硬貨入金部１１０に繰り出すことが好ましく、硬貨入金部１１０内にある程度の硬貨を収納することができる余剰空間が存在しているときには、硬貨入金部１１０内の硬貨が入金経路に繰り出される直前に補助収納部１７０内に収納された硬貨を繰出搬送部１７１によって硬貨入金部１１０に繰り出すことが好ましい。
【０１３３】
また、本実施の形態では、硬貨入金部１１０が硬貨入金口１１１を開閉するためのシャッター１１５を有し（図３参照）、少なくとも補助収納部１７０内に収納された硬貨が繰出搬送部１７１によって硬貨入金部１１０に繰り出されている間、シャッター１１５が閉じられて硬貨入金口１１１がシャッター１１５で覆われる態様を採用することができる。このような態様を採用した場合には、少なくとも補助収納庫１７７内に収納されていた硬貨が第二突起付きベルト領域１７２ｂと第三突起付きベルト領域１７２ｃの境界箇所の近辺から下方に落下して、硬貨入金部１１０の繰出ベルト１１２上に落とされ、硬貨入金部１１０に硬貨が流入している間、外部から硬貨に触れることができなくなり、当該硬貨が抜き取られることを防止することができる。また、このように硬貨入金口１１１がシャッター１１５で覆われることから、硬貨入金部１１０に繰り出された硬貨が硬貨筐体１０５の外部に飛び出ることも防止することができる。
【０１３４】
ちなみに、シャッター１１５が硬貨入金口１１１を覆うのは、硬貨入金部１１０に繰出搬送部１７１によって繰り出された硬貨が存在している間であることが好ましく、より具体的には、補助収納部１７０内に収納された硬貨が繰出搬送部１７１によって硬貨入金部１１０に繰り出される前から繰出搬送部１７１によって硬貨入金部１１０に繰り出された硬貨が硬貨入金部１１０からなくなるまでの間であることが好ましい。このように硬貨入金部１１０に繰出搬送部１７１によって繰り出された硬貨が存在している間だけ外部からのアクセスを禁止し、また、外部への硬貨の飛びちりを防止することができれば、十分な効果を達成することができるためである。
【０１３５】
また、閉じられたシャッター１１５がロックされる態様を採用した場合には、外部からのアクセスを確実に禁止することができるので好ましい。このようにシャッター１１５がロックされるのは、硬貨入金部１１０に繰出搬送部１７１によって繰り出された硬貨が存在している間であることが好ましく、より具体的には、補助収納部１７０内に収納された硬貨が繰出搬送部１７１によって硬貨入金部１１０に繰り出される前から繰出搬送部１７１によって硬貨入金部１１０に繰り出された硬貨が硬貨入金部１１０からなくなるまでの間であることが好ましい。このように硬貨入金部１１０に繰出搬送部１７１によって繰り出された硬貨が存在している間だけ外部からのアクセスを確実に禁止することができれば、十分な効果を達成することができるためである。
【０１３６】
また、本実施の形態のシャッター１１５は、シャッター１１５が開けられている際、硬貨入金部１１０に繰り出された硬貨が繰出搬送部１７１内に戻ることを防止するための開閉部分１１５ａを有している（図１３（ａ）（ｂ）参照）。より具体的には、図１３（ａ）に示すようにシャッター１１５が開状態となっている場合には、開閉部分１１５ａが、揺動軸を中心に下方に揺動され、突起付きベルト１７２とシャッター１１５との間の空間、すなわち上述した繰出口を閉じるようになっている。このため、シャッター１１５が開けられた状態で硬貨入金部１１０に硬貨を投入した際に、当該硬貨が誤って繰出口から補助収納庫１７７内に入り込むことを防止することができる。この点について説明すると、硬貨入金部１１０に硬貨を投入した際に、投入された硬貨が何らしかの拍子に繰出口側に飛んでしまうことがある。仮に本実施の形態のように繰出口を閉じる開閉部分１１５ａが設けられていないと、繰出口側に飛んだ硬貨が誤って補助収納庫１７７内に落下して収納されてしまい、補助収納庫１７７内の硬貨の在高が誤ったものになってしまうこととなる。この点、本実施の形態の開閉部分１１５ａを採用することで、このような事態が発生することを防止することができる。
【０１３７】
なお、本実施の形態ではシャッター１１５を開状態に保つようロックをかけることができてもよい。このような態様を採用した場合には、硬貨入金部１１０に硬貨を入金している最中に何らしかの理由でシャッター１１５が誤って閉じる方向に移動してしまい、開閉部分１１５ａで繰出口を完全に閉じていない状態となってしまうことを防止することができる。
【０１３８】
また、本実施の形態では、図４に示すように、硬貨識別部１５０の下流位置であって金種別硬貨繰出収納部１６１の上流位置に、入金経路に沿って搬送される硬貨を補助収納部１７０へ振り分けるための第一入金振分部１２６が設けられている。そして、この第一入金振分部１２６の下方には、第一入金振分部１２６で振り分けられた硬貨を補助収納部１７０へ導くための入金振分搬送経路１２６ｂが設けられている。このため、出金経路で搬送されている硬貨だけでなく入金経路で搬送されている硬貨も補助収納庫１７７に収納することができる。この結果、上述したようにオーバーフローを処理する際にも補助収納部１７０を利用することができる。つまり、ある金種別硬貨繰出収納部１６１がフル状態又はニアフル状態となっているときに、当該金種別硬貨繰出収納部１６１に収納される予定であった硬貨を、補助収納部１７０内に収納することができる。そして、フル状態又はニアフル状態であった金種別硬貨繰出収納部１６１内に収納されていた硬貨が減った後で、補助収納部１７０内に収納された硬貨を当該金種別硬貨繰出収納部１６１に補充することもできる。
【０１３９】
また、本実施の形態では、金種別硬貨繰出収納部１６１から出金経路に所定枚数の硬貨を繰り出す際に異常が発生した場合、出金経路に繰り出された硬貨を出金硬貨搬送部１８０で搬送して補助収納部１７０内に収納し、上述した所定枚数の硬貨を金種別硬貨繰出収納部１６１が出金経路に繰り出すことができる（図９参照）。この点、従来からある硬貨処理機において金種別硬貨繰出収納部から出金経路に所定枚数の硬貨を繰り出す際に硬貨の詰まり等が生じて異常が発生した場合には、異常の発生した箇所を硬貨筐体から引き出して出金経路に繰り出された硬貨を回収し、当該硬貨を硬貨入金部から再度入金する必要があった。他方、本実施の形態によれば、そのような作業を行う必要がなくなり、金種別硬貨繰出収納部１６１から出金経路に所定枚数の硬貨を繰り出す際に異常が発生した場合であっても、自動で補助収納部１７０に硬貨を収納することができる点で有益である。
【０１４０】
また、上述のような異常が発生した際に、その処理に慣れていない操作者では、異常の発生した箇所を硬貨筐体から引き出して硬貨を回収するまではできても、当該硬貨をどのようにすればよいのかが分からず、当該硬貨を硬貨入金部から再度入金しないこともあった。この場合には、硬貨処理機内の硬貨の実際の在高と硬貨記憶部で記憶されている在高とが合致しない事態が生じえた。この点、本実施の形態によれば、上述したように、金種別硬貨繰出収納部１６１から出金経路に所定枚数の硬貨を繰り出す際に異常が発生した場合であっても、当該硬貨を自動で補助収納部１７０に収納することができるので、回収された硬貨が入金されないという事態が生じず、硬貨処理機１００内の硬貨の実際の在高と硬貨記憶部１５５及び／又はＰＯＳ記憶部３５５で記憶されている在高とが合致しない事態が生じることを未然に防止することができる。
【０１４１】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【０１４２】
１００        硬貨処理機
１０２        硬貨制御部
１１０        硬貨入金部（入金部）
１１１        硬貨入金口（入金口）  
１１５        シャッター
１１５ａ      開閉部分（進入防止部）  
１２０        入金硬貨搬送部（入金搬送部）  
１２４，１２５  検知センサ  
１２６        第一入金振分部（振分部）
１２６ｂ      入金振分搬送経路（振分搬送経路）
１２７        第二入金振分部
１２９        リジェクト振分部
１５０        硬貨識別部（識別部）
１５５        硬貨記憶部
１６０        硬貨繰出収納部（繰出収納部）
１６１ａ〜１６１ｆ  金種別硬貨繰出収納部
１６５        検知センサ
１７０        補助収納部
１７１        繰出搬送部
１７９        検知センサ
１８０        出金硬貨搬送部（出金搬送部）
１８６        出金振分部
１８９        検知センサ
１９０        硬貨出金部（出金部）
２００        紙幣処理機
３００        ＰＯＳレジスタ
５００        棒金管理機
【図１】
2015064789.tif 000003
【図２】
2015064789.tif 000004
【図４】
2015064789.tif 000005
【図７】
2015064789.tif 000006
【図８】
2015064789.tif 000007
【図９】
2015064789.tif 000008
【図１４】
2015064789.tif 000009
【図１５】
2015064789.tif 000010
【図１６】
2015064789.tif 000011
【図３】
2015064789.tif 000012
【図５】
2015064789.tif 000013
【図６】
2015064789.tif 000014
【図１０】
2015064789.tif 000015
【図１１】
2015064789.tif 000016
【図１２】
2015064789.tif 000017
【図１３】
2015064789.tif 000018